(57)【要約】  本文献には、第五世代（５Ｇ）新無線（ＮＲ）基地局（１２１）から進化型ユニバーサル地上無線アクセス（Ｅ−ＵＴＲＡ）基地局（１２２）へのユーザ機器（１１０）のハンドオーバのための方法およびデバイスが記載されている。ユーザ機器（１１０）は、Ｅ−ＵＴＲＡ基地局（１２２）が進化型パケットコア（１６０）ネットワークに接続されているか第五世代コア（１５０）ネットワークに接続されているかによって、パケットデータコンバージェンスプロトコル（ＰＤＣＰ）エンティティ（３１２）を解放するか維持するかを判断してもよい。ユーザ機器（１１０）は、受信したＮＲ無線リソース制御（ＲＲＣ）メッセージまたはＥ−ＵＴＲＡ  ＲＲＣメッセージに基づいて、ＰＤＣＰエンティティ（３１２）を解放するか維持するかを判断してもよい。
2021533622.tif 000002
【特許請求の範囲】
【請求項１】
ソース基地局からターゲット基地局へのハンドオーバを実行する方法であって、
ユーザ機器が、メディアアクセス制御エンティティ、無線リンク制御エンティティおよび第１のパケットデータコンバージェンスプロトコルエンティティを使用して前記ソース基地局と通信するステップと、
前記ユーザ機器が、前記ソース基地局から第１の無線リソース制御メッセージを受信するステップとを備え、前記第１の無線リソース制御メッセージは、前記ターゲット基地局への前記ハンドオーバのための第２の無線リソース制御メッセージを含み、前記方法はさらに、
前記ユーザ機器が、前記第１の無線リソース制御メッセージまたは前記第２の無線リソース制御メッセージを受信したことに応答して、前記メディアアクセス制御エンティティおよび前記無線リンク制御エンティティを解放するステップと、
前記ユーザ機器が、前記第２の無線リソース制御メッセージに含まれるコンフィギュレーションタイプの表示からコンフィギュレーションタイプを判断するステップとを備える、方法。
【請求項２】
前記ターゲット基地局は、進化型パケットコアネットワークに接続され、前記方法はさらに、
前記ユーザ機器が、前記コンフィギュレーションタイプがフルコンフィギュレーションであると判断するステップと、
前記ユーザ機器が、前記コンフィギュレーションタイプが前記フルコンフィギュレーションであると判断したことに基づいて、前記第１のパケットデータコンバージェンスプロトコルエンティティを解放するステップとを備える、請求項１に記載の方法。
【請求項３】
前記ユーザ機器が、前記第２の無線リソース制御メッセージに基づいて、前記ターゲット基地局で第２のパケットデータコンバージェンスプロトコルエンティティを確立するステップと、
前記ユーザ機器が、RRCConnectionConfigurationCompleteメッセージを送信するステップと、
前記ユーザ機器が、前記第２のパケットデータコンバージェンスプロトコルエンティティを使用して前記ターゲット基地局と通信するステップとをさらに備える、請求項２に記載の方法。
【請求項４】
前記ユーザ機器が、前記ソース基地局との接続を切るステップをさらに備える、請求項３に記載の方法。
【請求項５】
前記ターゲット基地局は、第五世代コアネットワークに接続され、前記方法はさらに、
前記ユーザ機器が、前記メディアアクセス制御エンティティ、前記無線リンク制御エンティティ、前記第１のパケットデータコンバージェンスプロトコルエンティティおよび第１のサービスデータアダプテーションプロトコルエンティティを使用して前記ソース基地局と通信するステップと、
前記ユーザ機器が、前記コンフィギュレーションタイプがフルコンフィギュレーションであると判断するステップと、
前記ユーザ機器が、前記コンフィギュレーションタイプが前記フルコンフィギュレーションであると判断したことに基づいて、前記第１のパケットデータコンバージェンスプロトコルエンティティおよび前記第１のサービスデータアダプテーションプロトコルエンティティを解放するステップとを備える、請求項１に記載の方法。
【請求項６】
前記ユーザ機器が、前記第２の無線リソース制御メッセージに基づいて、前記ターゲット基地局で第２のパケットデータコンバージェンスプロトコルエンティティを確立するステップと、
前記ユーザ機器が、前記第２の無線リソース制御メッセージに基づいて、前記ターゲット基地局で第２のサービスデータアダプテーションプロトコルエンティティを確立するステップと、
前記ユーザ機器が、RRCConnectionConfigurationCompleteメッセージを送信するステップと、
前記ユーザ機器が、前記第２のパケットデータコンバージェンスプロトコルエンティティおよび前記第２のサービスデータアダプテーションプロトコルエンティティを使用して前記ターゲット基地局と通信するステップとをさらに備える、請求項５に記載の方法。
【請求項７】
前記ユーザ機器が、前記ソース基地局との接続を切るステップをさらに備える、請求項６に記載の方法。
【請求項８】
前記第１の無線リソース制御メッセージは、RRCConnectionReconfigurationメッセージである、先行する請求項のいずれか１項に記載の方法。
【請求項９】
コンフィギュレーションタイプの前記表示は、前記RRCConnectionReconfigurationメッセージにおけるfullConfigフィールドである、先行する請求項のいずれか１項に記載の方法。
【請求項１０】
前記ソース基地局は、第五世代新無線基地局であり、前記ターゲット基地局は、進化型ユニバーサル地上無線アクセス基地局である、先行する請求項のいずれか１項に記載の方法。
【請求項１１】
ユーザ機器であって、
ワイヤレストランシーバと、
請求項１から請求項１０のいずれか１項に記載の方法を実行するように前記ユーザ機器を構成するように配置されたハンドオーバマネージャとを備える、ユーザ機器。
【請求項１２】
ソース基地局からターゲット基地局へのユーザ機器のハンドオーバを実行する方法であって、
前記ソース基地局が、前記ターゲット基地局への前記ユーザ機器のハンドオーバを示す第１の無線リソース制御メッセージを受信するステップと、
前記ソース基地局が、前記ハンドオーバ中に前記ユーザ機器に適用されるコンフィギュレーションタイプを判断するステップと、
前記ソース基地局が、第２の無線リソース制御メッセージを生成するステップと、
前記ソース基地局が、前記コンフィギュレーションタイプの表示を前記第２の無線リソース制御メッセージに含めるステップと、
前記ソース基地局が、前記第１の無線リソース制御メッセージを前記第２の無線リソース制御メッセージに含めるステップと、
前記ソース基地局が、前記第２の無線リソース制御メッセージを前記ユーザ機器に送信して、前記ハンドオーバ中の前記コンフィギュレーションタイプに基づいて現在のユーザ機器コンフィギュレーションを変更するように前記ユーザ機器に指示するステップとを備える、方法。
【請求項１３】
前記コンフィギュレーションタイプは、フルコンフィギュレーションまたはデルタコンフィギュレーションであり、前記第２の無線リソース制御メッセージは、RRCConnectionReconfigurationメッセージであり、前記コンフィギュレーションタイプの前記表示は、前記RRCConnectionReconfigurationメッセージにおけるfullConfigフィールドである、請求項１２に記載の方法。
【請求項１４】
前記第１の無線リソース制御メッセージは、前記ターゲット基地局またはコアネットワーク内のアクセスおよびモビリティ管理機能から受信される、請求項１２または請求項１３に記載の方法。
【請求項１５】
基地局であって、
ワイヤレストランシーバと、
コアネットワークインターフェイスと、
基地局間インターフェイスと、
請求項１２から請求項１４のいずれか１項に記載の方法を実行するように前記基地局を構成するように配置された基地局マネージャとを備える、基地局。
【発明の詳細な説明】
【背景技術】
【０００１】
背景
第五世代（５Ｇ）規格および技術へのワイヤレス通信の進化により、データレートが高くなり、容量が大きくなり、信頼性が向上して、レイテンシが低くなって、モバイルブロードバンドサービスを向上させている。また、５Ｇ技術は、車両ネットワーキング、固定ワイヤレスブロードバンド、およびモノのインターネット（ＩｏＴ）のための新種のサービスも提供している。
【発明の概要】
【発明が解決しようとする課題】
【０００２】
５Ｇネットワークがデプロイされると、ロングタームエボリューション（ＬＴＥ）ネットワークは、より広いカバレッジエリアを提供し、５Ｇネットワークデプロイメントにおける不足を埋めるであろう。ユーザ機器のための無線アクセス技術間ハンドオーバは、５ＧとＬＴＥとの相互運用性を提供することを求められる。しかしながら、無線アクセス技術間（ＲＡＴ間）ハンドオーバの従来の技術は、５ＧネットワークとＬＴＥネットワークとの間のハンドオーバの技術に対応していない。
【課題を解決するための手段】
【０００３】
概要
この概要は、無線アクセス技術間ハンドオーバの簡略化された概念を紹介するために提供されている。この簡略化された概念については、詳細な説明にさらに後述されている。この概要は、クレームされている主題の不可欠な特徴を特定するよう意図されているわけではなく、クレームされている主題の範囲の決定に用いることを意図されているわけでもない。
【０００４】
局面において、無線アクセス技術間ハンドオーバのための方法、デバイス、システムおよび手段が記載されており、ユーザ機器（ＵＥ）は、メディアアクセス制御エンティティ、無線リンク制御エンティティおよび第１のパケットデータコンバージェンスプロトコルエンティティを使用してソース基地局と通信する。ＵＥは、ソース基地局から第１の無線リソース制御メッセージを受信し、第１の無線リソース制御メッセージは、ターゲット基地局へのハンドオーバのための第２の無線リソース制御メッセージを含む。ＵＥは、第１の無線リソース制御メッセージまたは第２の無線リソース制御メッセージを受信したことに応答して、メディアアクセス制御エンティティおよび無線リンク制御エンティティを解放し、第２の無線リソース制御メッセージに含まれるコンフィギュレーションタイプの表示からコンフィギュレーションタイプを判断する。
【０００５】
たとえば、ユーザ機器は、ワイヤレストランシーバと、プロセッサと、記載されているユーザ機器方法を実行するようにユーザ機器を構成するようにプロセッサによって実行可能なハンドオーバマネージャアプリケーションのための命令とを備えていてもよい。同様に、ユーザ機器は、ワイヤレストランシーバと、記載されているユーザ機器方法を実行するように配置されたおよび／または記載されているユーザ機器方法を実行するようにユーザ機器を構成するように配置されたハンドオーバマネージャとを備えていてもよい。同様に、本発明は、記載されているユーザ機器方法を実行するように配置されたユーザ機器を提供する。
【０００６】
局面において、無線アクセス技術間ハンドオーバのための方法、デバイス、システムおよび手段が記載されており、ソース基地局は、ターゲット基地局へのユーザ機器のハンドオーバを示す第１の無線リソース制御メッセージを受信する。ソース基地局は、ハンドオーバ中にユーザ機器に適用されるコンフィギュレーションタイプを判断し、第２の無線リソース制御メッセージを生成する。ソース基地局は、コンフィギュレーションタイプの表示を第２の無線リソース制御メッセージに含め、第１の無線リソース制御メッセージを第２の無線リソース制御メッセージに含める。ソース基地局は、第２の無線リソース制御メッセージをユーザ機器に送信して、ハンドオーバ中のコンフィギュレーションタイプに基づいて現在のユーザ機器コンフィギュレーションを変更するようにユーザ機器に指示する。
【０００７】
たとえば、基地局は、ワイヤレストランシーバと、コアネットワークインターフェイスと、基地局間インターフェイスと、プロセッサと、記載されている基地局方法を実行するように基地局を構成するようにプロセッサによって実行可能な基地局マネージャアプリケーションのための命令とを備えていてもよい。同様に、基地局は、ワイヤレストランシーバと、コアネットワークインターフェイスと、基地局間インターフェイスと、記載されている基地局方法を実行するように配置されたおよび／または記載されている基地局方法を実行するように基地局を構成するように配置された基地局マネージャとを備えていてもよい。同様に、本発明は、記載されている基地局方法を実行するように配置された基地局を提供する。
【０００８】
無線アクセス技術間ハンドオーバの局面について、以下の図面を参照して説明する。図面全体を通して、同一の番号を使用して同様の特徴および構成要素を参照する。
【図面の簡単な説明】
【０００９】
【図１】無線アクセス技術間ハンドオーバのさまざまな局面を実現することができるワイヤレスネットワーク環境の一例を示す図である。
【図２】無線アクセス技術間ハンドオーバ環境のさまざまな局面を実現することができるデバイスのためのデバイス図の一例である。
【図３】無線アクセス技術間ハンドオーバの局面を実現することができるワイヤレスネットワーキングスタックの一例を示す図である。
【図４】本明細書に記載されている技術の局面に係る、ユーザ機器によるプロトコル処理に概して関連する無線アクセス技術間ハンドオーバの方法の一例を示す図である。
【図５】本明細書に記載されている技術の局面に係る、ユーザ機器のハンドオーバの際のユーザ機器によるプロトコル処理に概して関連する無線アクセス技術間ハンドオーバの方法の一例を示す図である。
【図６】本明細書に記載されている技術の局面に係る、ユーザ機器のハンドオーバの際のユーザ機器によるプロトコル処理に概して関連する無線アクセス技術間ハンドオーバの方法の一例を示す図である。
【図７】本明細書に記載されている技術の局面に係る、ユーザ機器のハンドオーバの際の基地局によるプロトコル処理に概して関連する無線アクセス技術間ハンドオーバの方法の一例を示す図である。
【図８】本明細書に記載されている技術の局面に係る、ユーザ機器のハンドオーバの際の基地局によるプロトコル処理に概して関連する無線アクセス技術間ハンドオーバの方法の一例を示す図である。
【図９】本明細書に記載されている技術の局面に係る、ユーザ機器のハンドオーバの際の基地局によるプロトコル処理に概して関連する無線アクセス技術間ハンドオーバの方法の一例を示す図である。
【図１０】本明細書に記載されている技術の局面に係る、ユーザ機器のハンドオーバの際の基地局によるプロトコル処理に概して関連する無線アクセス技術間ハンドオーバの方法の一例を示す図である。
【図１１】本明細書に記載されている技術の局面に係る、ユーザ機器のハンドオーバの際の基地局によるプロトコル処理に概して関連する無線アクセス技術間ハンドオーバの方法の一例を示す図である。
【発明を実施するための形態】
【００１０】
詳細な説明
概要
本文献には、ソース基地局（たとえば、第五世代（５Ｇ）新無線（ＮＲ）基地局）からターゲット基地局（たとえば、進化型ユニバーサル地上無線アクセス（Ｅ−ＵＴＲＡ）基地局）へのユーザ機器（ＵＥ）のハンドオーバのための方法およびデバイスが記載されている。ＵＥは、Ｅ−ＵＴＲＡ基地局が進化型パケットコア（ＥＰＣ）ネットワークに接続されているか第五世代コア（５ＧＣ）ネットワークに接続されているかによって、パケットデータコンバージェンスプロトコル（ＰＤＣＰ）エンティティを解放するか維持するかを判断してもよい。ＵＥは、受信したＮＲ無線リソース制御（ＲＲＣ）メッセージまたはＥ−ＵＴＲＡ  ＲＲＣメッセージに基づいて、ＰＤＣＰエンティティを解放するか維持するかを判断してもよい。また、ＵＥは、Ｅ−ＵＴＲＡ基地局が５ＧＣネットワークに接続されているかＥＰＣネットワークに接続されているかに基づいて、フルコンフィギュレーションを適用するかデルタコンフィギュレーションを適用するかの表示を受信してもよい。
【００１１】
５Ｇ  ＮＲ基地局からＥ−ＵＴＲＡ基地局へのハンドオーバのための制御シグナリングは、コアネットワークアクセスおよびモビリティ管理機能（ＡＭＦ）の関与があったりなかったりする状態で、基地局間で通信されてもよい。たとえば、基地局がコアネットワークなしでハンドオーバをセットアップする場合、５Ｇ  ＮＲ基地局は、ハンドオーバ要求メッセージをＥ−ＵＴＲＡ基地局に送信し、Ｅ−ＵＴＲＡ基地局は、ＥＵＴＲＡ  ＲＲＣメッセージを含むハンドオーバ要求確認メッセージで応答し、５Ｇ  ＮＲ基地局は、このＥＵＴＲＡ  ＲＲＣメッセージを含むＮＲ  ＲＲＣメッセージを生成し、５Ｇ  ＮＲ基地局は、このＮＲ  ＲＲＣメッセージをＵＥに送信する。ＵＥ１１０は、ＥＵＴＲＡ  ＲＲＣメッセージに示されたＥ−ＵＴＲＡ基地局に接続して、ＥＵＴＲＡ  ＲＲＣ応答メッセージをＥ−ＵＴＲＡ基地局に送信する。
【００１２】
別の例では、基地局がコアネットワークを伴うハンドオーバをセットアップする場合、５Ｇ  ＮＲ基地局は、ハンドオーバ要求メッセージをコアネットワーク内のＡＭＦに送信し、ＡＭＦは、ハンドオーバ要求メッセージをＥ−ＵＴＲＡ基地局に送信する。これに応答して、Ｅ−ＵＴＲＡ基地局は、ＥＵＴＲＡ  ＲＲＣメッセージを含むハンドオーバ要求確認メッセージをＡＭＦに送信する。ＡＭＦは、ハンドオーバコマンドを５Ｇ  ＮＲ基地局に送信し、５Ｇ  ＮＲ基地局は、このＥＵＴＲＡ  ＲＲＣメッセージを含むＮＲ  ＲＲＣメッセージを生成し、このＮＲ  ＲＲＣメッセージをユーザ機器に送信する。ＵＥ１１０は、ＥＵＴＲＡ  ＲＲＣメッセージに示されたＥ−ＵＴＲＡ基地局に接続して、ＥＵＴＲＡ  ＲＲＣ応答メッセージをＥ−ＵＴＲＡ基地局に送信する。
【００１３】
別の例では、基地局がコアネットワークを伴うハンドオーバをセットアップする場合、５Ｇ  ＮＲ基地局は、ハンドオーバ要求メッセージをコアネットワーク内のＡＭＦに送信し、ＡＭＦは、フォワードリロケーション要求メッセージをモビリティ管理エンティティ（ＭＭＥ）に送信する。ＭＭＥは、ハンドオーバ要求メッセージをＥ−ＵＴＲＡ基地局に送信する。これに応答して、Ｅ−ＵＴＲＡ基地局は、ＥＵＴＲＡ  ＲＲＣメッセージを含むハンドオーバ要求確認メッセージをＭＭＥに送信する。ＭＭＥは、このＥＵＴＲＡ  ＲＲＣメッセージを含むフォワードリロケーション応答メッセージをＡＭＦに送信する。ＡＭＦは、このＥＵＴＲＡ  ＲＲＣメッセージを含むハンドオーバコマンドを５Ｇ  ＮＲ基地局に送信し、５Ｇ  ＮＲ基地局は、このＥＵＴＲＡ  ＲＲＣメッセージを含むＮＲ  ＲＲＣメッセージを生成し、このＮＲ  ＲＲＣメッセージをユーザ機器に送信する。ＵＥ１１０は、ＥＵＴＲＡ  ＲＲＣメッセージに示されたＥ−ＵＴＲＡ基地局に接続して、ＥＵＴＲＡ  ＲＲＣ応答メッセージをＥ−ＵＴＲＡ基地局に送信する。
【００１４】
局面において、無線アクセス技術間ハンドオーバは、セルラーネットワークとＷＬＡＮネットワークとの間の通信の連携をサポートして、セルラーネットワークとＷＬＡＮネットワークとの間のユーザ機器のモビリティおよびユーザ機器のデータトラフィックを管理するための新たなインターフェイス、メッセージおよび管理機能を提供する。
【００１５】
記載されている無線アクセス技術間ハンドオーバのためのシステムおよび方法の特徴および概念は、いくつものさまざまな環境、システム、デバイスおよび／またはさまざまな構成で実現することができるが、以下の例示的なデバイス、システムおよび構成の文脈の中で無線アクセス技術間ハンドオーバの局面について説明する。
【００１６】
環境の例
図１は、ユーザ機器１１０（ＵＥ１１０）を含む環境の一例１００を示す。ＵＥ１１０は、ワイヤレスリンク１３１および１３２として示されている１つまたは複数のワイヤレス通信リンク１３０（ワイヤレスリンク１３０）を介して１つまたは複数の基地局１２０（基地局１２１，１２２，１２３および１２４として示されている）と通信する。この例では、ＵＥ１１０はスマートフォンとして実現される。ＵＥ１１０は、スマートフォンとして示されているが、移動体通信デバイス、モデム、セルラーフォン、ゲーミングデバイス、ナビゲーションデバイス、メディアデバイス、ラップトップコンピュータ、デスクトップコンピュータ、タブレットコンピュータ、スマートアプライアンス、車両ベースの通信システムなどの任意の好適なコンピューティングまたは電子デバイスとして実現されてもよい。基地局１２０（たとえば、進化型ユニバーサル地上無線アクセスネットワークノードＢ、Ｅ−ＵＴＲＡＮノードＢ、進化型ノードＢ、ｅＮｏｄｅＢ、ｅＮＢ、次世代ノードＢ、ｇＮｏｄｅＢ、ｇＮＢなど）は、マクロセル、マイクロセル、スマートセル、ピコセルなど、またはそれらの任意の組み合わせで実現されてもよい。
【００１７】
基地局１２０は、ワイヤレスリンク１３１および１３２を介してＵＥ１１０と通信し、ワイヤレスリンク１３１および１３２は、任意の好適なタイプのワイヤレスリンクとして実現されてもよい。ワイヤレスリンク１３１および１３２は、基地局１２０からＵＥ１１０に通信されるデータおよび制御情報のダウンリンク、ＵＥ１１０から基地局１２０に通信される他のデータおよび制御情報のアップリンク、またはそれら両方を含み得る。ワイヤレスリンク１３０は、第三世代パートナーシッププロジェクトロングタームエボリューション（３ＧＰＰ  ＬＴＥ）、第五世代新無線（５Ｇ  ＮＲ）などの任意の好適な通信プロトコルもしくは規格、または通信プロトコルもしくは規格の組み合わせを使用して実現される１つまたは複数のワイヤレスリンクまたはベアラを含んでもよい。複数のワイヤレスリンク１３０は、キャリアアグリゲーションに集約されて、ＵＥ１１０に対してより高いデータレートを提供してもよい。複数の基地局１２０からの複数のワイヤレスリンク１３０は、ＵＥ１１０との協調マルチポイント（ＣｏＭＰ）通信用に構成されてもよい。
【００１８】
基地局１２０は、ひとまとめにして、無線アクセスネットワーク１４０（ＲＡＮ、進化型ユニバーサル地上無線アクセスネットワーク、Ｅ−ＵＴＲＡＮ、５Ｇ  ＮＲ  ＲＡＮまたはＮＲ  ＲＡＮ）である。ＲＡＮ１４０は、ＮＲ  ＲＡＮ１４１およびＥ−ＵＴＲＡＮ１４２として示されている。ＮＲ  ＲＡＮ１４１内の基地局１２１および１２３は、第五世代コア１５０（５ＧＣ１５０）ネットワークに接続される。Ｅ−ＵＴＲＡＮ１４２内の基地局１２２および１２４は、進化型パケットコア１６０（ＥＰＣ１６０）に接続される。任意にまたは加えて、Ｅ−ＵＴＲＡＮ１４２内の基地局１２２は、５ＧＣ１５０ネットワークおよびＥＰＣ１６０ネットワークに接続されてもよい。
【００１９】
基地局１２１および１２３は、それぞれ１０２および１０４で、コントロールプレーンシグナリングのためのＮＧ２インターフェイスおよびユーザプレーンデータ通信のためのＮＧ３インターフェイスを介して、５ＧＣ１５０に接続する。基地局１２２および１２４は、それぞれ１０６および１０８で、コントロールプレーンシグナリングおよびユーザプレーンデータ通信のためのＳ１インターフェイスを介してＥＰＣ１６０に接続する。任意にまたは加えて、基地局１２２が５ＧＣ１５０ネットワークおよびＥＰＣ１６０ネットワークに接続する場合、基地局１２２は、１８０で、コントロールプレーンシグナリングのためのＮＧ２インターフェイスおよびユーザプレーンデータ通信のためのＮＧ３インターフェイスを介して５ＧＣ１５０に接続する。
【００２０】
コアネットワークへの接続に加えて、基地局１２０は互いに通信してもよい。基地局１２１および１２３は、１１２でＸｎインターフェイスを介して通信する。基地局１２２および１２４は、１１４でＸ２インターフェイスを介して通信する。５ＧＣ１５０にもＥＰＣ１６０にも接続される基地局１２２は、１１６に示されるように、Ｘｎインターフェイスを使用して基地局１２１および／または１２３と通信してもよい。
【００２１】
５ＧＣ１５０は、５Ｇ  ＮＲネットワークにおいて複数のＵＥ１１０の登録および認証、認可、モビリティ管理などのコントロールプレーン機能を提供するアクセスおよびモビリティ管理機能１５２（ＡＭＦ１５２）を含む。ＥＰＣ１６０は、Ｅ−ＵＴＲＡネットワークにおいて複数のＵＥ１１０の登録および認証、認可、モビリティ管理などのコントロールプレーン機能を提供するモビリティおよび管理エンティティ１６２（ＭＭＥ１６２）を含む。ＡＭＦ１５２およびＭＭＥ１６２は、ＲＡＮ１４０内の基地局１２０と通信し、基地局１２０を介して複数のＵＥ１１０とも通信する。
【００２２】
デバイスの例
図２は、ＵＥ１１０、基地局１２０のデバイス図の一例２００を示す。ＵＥ１１０、基地局１２０は、分かりやすくするために図２から省略されている追加の機能およびインターフェイスを含んでもよい。ＵＥ１１０は、アンテナ２０２と、無線周波数フロントエンド２０４（ＲＦフロントエンド２０４）と、ＬＴＥトランシーバ２０６と、５Ｇ  ＲＡＮ１４１および／またはＥ−ＵＴＲＡＮ１４２内の基地局１２０と通信するための５Ｇ  ＮＲトランシーバ２０８とを含む。ＵＥ１１０のＲＦフロントエンド２０４は、さまざまなタイプのワイヤレス通信を容易にするために、ＬＴＥトランシーバ２０６および５Ｇ  ＮＲトランシーバ２０８をアンテナ２０２に結合または接続することができる。ＵＥ１１０のアンテナ２０２は、互いに類似しているようにまたは互いに異なっているように構成された複数のアンテナのアレイを含んでもよい。アンテナ２０２およびＲＦフロントエンド２０４は、３ＧＰＰ  ＬＴＥおよび５Ｇ  ＮＲ通信規格によって規定されて、ＬＴＥトランシーバ２０６および／または５Ｇ  ＮＲトランシーバ２０８によって実現される１つまたは複数の周波数帯域にチューニングされ得る、および／または、チューニング可能であり得る。さらに、アンテナ２０２、ＲＦフロントエンド２０４、ＬＴＥトランシーバ２０６および／または５Ｇ  ＮＲトランシーバ２０８は、基地局１２０との通信の送受信のためにビームフォーミングをサポートするように構成されてもよい。限定ではなく例示として、アンテナ２０２およびＲＦフロントエンド２０４は、３ＧＰＰ  ＬＴＥおよび５Ｇ  ＮＲ通信規格によって規定されるサブギガヘルツ帯域、サブ６ＧＨＺ帯域および／または６ＧＨｚを超える帯域で動作するように実現可能である。
【００２３】
ＵＥ１１０は、プロセッサ２１０およびコンピュータ読取可能記憶媒体２１２（ＣＲＭ２１２）も含む。プロセッサ２１０は、シリコン、ポリシリコン、ｈｉｇｈ−Ｋ誘電体、銅などのさまざまな材料で構成されたシングルコアプロセッサまたはマルチコアプロセッサであってもよい。本明細書に記載されているコンピュータ読取可能記憶媒体は、伝搬信号を除外する。ＣＲＭ２１２は、ＵＥ１１０のデバイスデータ２１４の格納に使用可能な、ランダムアクセスメモリ（ＲＡＭ）、スタティックＲＡＭ（ＳＲＡＭ）、ダイナミックＲＡＭ（ＤＲＡＭ）、不揮発性ＲＡＭ（ＮＶＲＡＭ）、リードオンリメモリ（ＲＯＭ）またはフラッシュメモリなどの任意の好適なメモリまたは記憶装置を含んでもよい。デバイスデータ２１４は、ユーザプレーン通信、コントロールプレーンシグナリング、およびＵＥ１１０とのユーザ対話を可能にするようにプロセッサ２１０によって実行可能な、ユーザデータ、マルチメディアデータ、ビームフォーミングコードブック、アプリケーションおよび／またはＵＥ１１０のオペレーティングシステムを含む。
【００２４】
ＣＲＭ２１２は、ハンドオーバマネージャ２１６も含む。代替的にまたは加えて、ハンドオーバマネージャ２１６は、全体または一部が、ＵＥ１１０の他のコンポーネントと一体化されるかまたはそれらから分離されたハードウェアロジックまたは回路として実現されてもよい。少なくともいくつかの局面では、ハンドオーバマネージャ２１６は、本明細書に記載されているアップリンクハンドオーバパイロットの技術を実現するようにＲＦフロントエンド２０４、ＬＴＥトランシーバ２０６および／または５Ｇ  ＮＲトランシーバ２０８を構成する。
【００２５】
図２に示される基地局１２０のデバイス図は、単一のネットワークノード（たとえば、ｇＮｏｄｅ  Ｂ）を含む。基地局１２０の機能は、複数のネットワークノードまたはデバイスにわたって分散されてもよく、本明細書に記載されている機能を実行するのに好適な任意の態様で分散されてもよい。基地局１２０は、ＵＥ１１０と通信するために、アンテナ２５２、無線周波数フロントエンド２５４（ＲＦフロントエンド２５４）、１つまたは複数のＬＴＥトランシーバ２５６および／または１つまたは複数の５Ｇ  ＮＲトランシーバ２５８を含む。基地局１２０のＲＦフロントエンド２５４は、さまざまなタイプのワイヤレス通信を容易にするために、ＬＴＥトランシーバ２５６および５Ｇ  ＮＲトランシーバ２５８をアンテナ２５２に結合または接続することができる。基地局１２０のアンテナ２５２は、互いに類似しているようにまたは互いに異なっているように構成された複数のアンテナのアレイを含んでもよい。アンテナ２５２およびＲＦフロントエンド２５４は、３ＧＰＰ  ＬＴＥおよび５Ｇ  ＮＲ通信規格によって規定されて、ＬＴＥトランシーバ２５６および／または５Ｇ  ＮＲトランシーバ２５８によって実現される１つまたは複数の周波数帯域にチューニングされ得る、および／または、チューニング可能であり得る。さらに、アンテナ２５２、ＲＦフロントエンド２５４、ＬＴＥトランシーバ２５６および／または５Ｇ  ＮＲトランシーバ２５８は、ＵＥ１１０との通信の送受信のためにＭａｓｓｉｖｅ−ＭＩＭＯなどのビームフォーミングをサポートするように構成されてもよい。
【００２６】
基地局１２０は、プロセッサ２６０およびコンピュータ読取可能記憶媒体２６２（ＣＲＭ２６２）も含む。プロセッサ２６０は、シリコン、ポリシリコン、ｈｉｇｈ−Ｋ誘電体、銅などのさまざまな材料で構成されたシングルコアプロセッサまたはマルチコアプロセッサであってもよい。ＣＲＭ２６２は、基地局１２０のデバイスデータ２６４の格納に使用可能な、ランダムアクセスメモリ（ＲＡＭ）、スタティックＲＡＭ（ＳＲＡＭ）、ダイナミックＲＡＭ（ＤＲＡＭ）、不揮発性ＲＡＭ（ＮＶＲＡＭ）、リードオンリメモリ（ＲＯＭ）またはフラッシュメモリなどの任意の好適なメモリまたは記憶装置を含んでもよい。デバイスデータ２６４は、ＵＥ１１０との通信を可能にするようにプロセッサ２６０によって実行可能な、ネットワークスケジューリングデータ、無線リソース管理データ、ビームフォーミングコードブック、アプリケーションおよび／または基地局１２０のオペレーティングシステムを含む。
【００２７】
ＣＲＭ２６２は、基地局マネージャ２６６も含む。代替的にまたは加えて、基地局マネージャ２６６は、全体または一部が、基地局１２０の他のコンポーネントと一体化されるかまたはそれらから分離されたハードウェアロジックまたは回路として実現されてもよい。少なくともいくつかの局面では、基地局マネージャ２６６は、ＵＥ１１０との通信およびコアネットワークとの通信のためにＬＴＥトランシーバ２５６および５Ｇ  ＮＲトランシーバ２５８を構成する。基地局１２０は、別の基地局１２０との間でユーザプレーンおよびコントロールプレーンデータをやりとりするように基地局マネージャ２６６によって構成される、基地局１２０とＵＥ１１０との通信を管理するためのＸｎおよび／またはＸ２インターフェイスなどの基地局間インターフェイス２６８を含む。基地局１２０は、コアネットワーク機能およびエンティティとユーザプレーンおよびコントロールプレーンデータをやりとりするように基地局マネージャ２６６によって構成されるコアネットワークインターフェイス２７０を含む。
【００２８】
ユーザプレーンおよびコントロールプレーンシグナリング
図３は、無線アクセス技術間ハンドオーバのさまざまな局面を実現することができる、環境の一例１００のための通信システムを特徴付けるワイヤレスネットワークスタックモデル３００のブロック図の一例である。ワイヤレスネットワークスタック３００は、ユーザプレーン３０２と、コントロールプレーン３０４とを含む。ユーザプレーン３０２およびコントロールプレーン３０４の上部レイヤは、ワイヤレスネットワークスタック３００における共通の下部レイヤを共有する。ＵＥ１１０または基地局１２０などのワイヤレスデバイスは、各レイヤを、そのレイヤについて規定されたプロトコルを使用して別のデバイスと通信するためのエンティティとして実現する。たとえば、ＵＥ１１０は、パケットデータコンバージェンスプロトコル（ＰＤＣＰ）エンティティを使用して、ＰＤＣＰを用いて基地局１２０におけるピアＰＤＣＰエンティティと通信する。
【００２９】
共有される下部レイヤは、物理レイヤ３０６（ＰＨＹレイヤ３０６）と、メディアアクセス制御レイヤ３０８（ＭＡＣレイヤ３０８）と、無線リンク制御レイヤ３１０（ＲＬＣレイヤ３１０）と、パケットデータコンバージェンスプロトコルレイヤ３１２（ＰＤＣＰレイヤ３１２）とを含む。物理レイヤ３０６は、互いに通信するデバイスのハードウェア仕様を提供する。したがって、物理レイヤ３０６は、デバイスがどのように互いに接続するかを確立したり、通信リソースがデバイス間でどのように共有されるかを管理することを支援したりする。
【００３０】
ＭＡＣレイヤ３０８は、データがデバイス間でどのように転送されるかを指定する。一般に、ＭＡＣレイヤ３０８は、伝送されているデータパケットを伝送プロトコルの一部としてビットに符号化および復号化する方法を提供する。
【００３１】
ＲＬＣレイヤ３１０は、ワイヤレスネットワークスタック３００における上位レイヤへのデータ転送サービスを提供する。一般に、ＲＬＣレイヤ３１０は、誤り訂正、パケットセグメンテーションおよび再構築、ならびに、確認モード、非確認モードまたは透過モードなどのさまざまなモードでのデータ転送の管理を提供する。
【００３２】
ＰＤＣＰレイヤ３１２は、ワイヤレスネットワークスタック３００における上位レイヤへのデータ転送サービスを提供する。一般に、ＰＤＣＰレイヤ３１２は、ユーザプレーン３０２およびコントロールプレーン３０４のデータの転送、ヘッダ圧縮、暗号化および整合性保護を提供する。
【００３３】
ＰＤＣＰレイヤ３１２の上方で、ワイヤレスネットワークスタックは、ユーザプレーンスタック３０２とコントロールプレーンスタック３０４とに分割される。ユーザプレーン３０２レイヤは、任意のサービスデータアダプテーションプロトコルレイヤ３１４（ＳＤＡＰ３１４）と、インターネットプロトコルレイヤ３１６（ＩＰ３１６）と、伝送制御プロトコル／ユーザデータグラムプロトコルレイヤ３１８（ＴＣＰ／ＵＤＰ３１８）と、ワイヤレスリンク１０６を介してデータを転送するアプリケーション３２０とを含む。任意のＳＤＡＰレイヤ３１４は、５Ｇ  ＮＲネットワークに存在しており、各データ無線ベアラについてクオリティ・オブ・サービス（ＱｏＳ）フローをマッピングし、各パケットデータセッションについてアップリンクおよびダウンリンクデータパケットの中のＱｏＳフロー識別子に印を付ける。ＩＰレイヤ３１６は、アプリケーション３２０からのデータが宛先ノードにどのように転送されるかを指定する。ＴＣＰ／ＵＤＰレイヤ３１８は、アプリケーション３２０によるデータ転送のためのＴＣＰまたはＵＤＰを使用して、宛先ノードに転送される予定のデータパケットが宛先ノードに到着したことを確認するために使用される。
【００３４】
コントロールプレーン３０４は、無線リソース制御３２２（ＲＲＣ３２２）と、非アクセス層３２４（ＮＡＳ３２４）とを含む。ＲＲＣ３２２は、接続および無線ベアラを確立および解放したり、システム情報をブロードキャストしたり、電力制御を実行したりする。ＮＡＳ３２４は、ユーザ機器１１０とコアネットワーク内のエンティティまたは機能（アクセスおよびモビリティ管理機能１５２（ＡＭＦ１５２）またはモビリティ管理エンティティ１６２（ＭＭＥ１６２）など）との間のモビリティ管理およびパケットデータベアラ文脈に対するサポートを提供する。
【００３５】
ＵＥ１１０では、ワイヤレスネットワークスタック３００のユーザプレーン３０２およびコントロールプレーン３０４の両方のプレーンにおける各レイヤは、基地局１２０における対応するピアレイヤもしくはエンティティ、コアネットワークエンティティもしくは機能、および／または、リモートサービスと対話して、ＮＲ  ＲＡＮ１４１またはＥ−ＵＴＲＡＮ１４２でのＵＥ１１０のユーザアプリケーションおよび制御動作をサポートする。
【００３６】
以下の例では、「保持する」という語は、「維持する」という語と置換されてもよい。たとえば、「保持する」という語は、ＵＥが連続測定を行うための測定構成を保持する（または、維持する）など、以前に適用された構成を使用して動作し続けることを表す。
【００３７】
方法の例
無線アクセス技術間ハンドオーバの１つまたは複数の局面に係る方法の例４００〜１１００について図４〜図１１を参照して説明する。ＵＥがそのＰＤＣＰエンティティを解放または保持（および再確立する）状況は、さまざまなＲＲＣメッセージの実現例によって決まる。たとえば、Ｅ−ＵＴＲＡ  ＲＲＣメッセージにおけるコンフィギュレーションインジケータは、フルコンフィギュレーションインジケータであってもよく、またはデルタコンフィギュレーションインジケータであってもよい。別の例として、Ｅ−ＵＴＲＡ  ＲＲＣメッセージは、ＰＤＣＰ再確立インジケータを含んでいてもよく、またはＰＤＣＰ非再確立インジケータを含んでいてもよい。受信したＥ−ＵＴＲＡ  ＲＲＣメッセージにおけるこれらのタイプのインジケータの存在および相互作用は、ＵＥがいつそのＰＤＣＰエンティティを解放すべきであるかまたは保持すべきであるかを指示してもよく、ＵＥがいつＰＤＣＰエンティティを再確立すべきであるかまたは再確立すべきでないかも指示してもよい。いくつかの実現例では、フルコンフィギュレーションインジケータの欠如は、ＵＥにそのＰＤＣＰエンティティを保持するように指示する。他の実現例では、５Ｇ  ＮＲ  ＲＲＣメッセージにおける適用されたコンフィギュレーションインジケータは、ＵＥにそのＰＤＣＰエンティティを保持または解放するように指示する。
【００３８】
ハンドオーバのためのターゲット基地局（この場合、基地局１２２）は、ソース基地局のタイプ（５ＧＣ１５０に接続された基地局、５Ｇ  ＮＲ基地局、Ｅ−ＵＴＲＡＮ基地局、ＧＥＲＡＮ基地局またはＵＴＲＡＮ基地局）およびターゲット基地局のタイプ（５ＧＣに接続されたＥ−ＵＴＲＡＮ基地局またはＥＰＣ１６０に接続されたＥ−ＵＴＲＡＮ基地局）に基づいて、フルコンフィギュレーションを適用するとの表示をＥ−ＵＴＲＡ  ＲＲＣメッセージに含めるか否かを判断する。フルコンフィギュレーションを適用するとの表示を含めるか否かは、ハンドオーバ中にＵＥによって、ワイヤレスネットワーキングスタック３００におけるさまざまなエンティティを保持するか解放するかの判断に使用される。
【００３９】
方法ブロックが記載されている順序は、限定として解釈されることを意図しておらず、記載されている方法ブロックをいくらでも任意の順序で組み合わせて方法または代替方法を実現することができる。一般に、本明細書に記載されている構成要素、モジュール、方法および動作はいずれも、ソフトウェア、ファームウェア、ハードウェア（たとえば、固定論理回路）、手動処理またはそれらの任意の組み合わせを使用して実現可能である。これらの方法の例のいくつかの動作は、コンピュータ処理システムにローカルおよび／またはリモートであるコンピュータ読取可能記憶メモリに格納された実行可能な命令の一般的文脈の中で説明されてもよく、実現例は、ソフトウェアアプリケーション、プログラム、機能などを含み得る。代替的にまたは加えて、本明細書に記載されている機能はいずれも、少なくとも一部が、１つまたは複数のハードウェアロジックコンポーネントによって実行可能であり、１つまたは複数のハードウェアロジックコンポーネントは、フィールドプログラマブルゲートアレイ（ＦＰＧＡ）、特定用途向け集積回路（ＡＳＩＣ）、特定用途向け標準品（ＡＳＳＰ）、システムオンチップシステム（ＳｏＣ）、複合プログラマブルロジックデバイス（ＣＰＬＤ）などであるが、それらに限定されるものではない。
【００４０】
ユーザ機器の無線技術間ハンドオーバ方法
図４〜図６を参照しながら個々に後述する方法４００〜６００に関して、ＵＥ１１０がＥ−ＵＴＲＡ  ＲＲＣメッセージを受信すると、ＵＥ１１０は、Ｅ−ＵＴＲＡ  ＲＲＣメッセージに示された基地局１２２（Ｅ−ＵＴＲＡセル）に接続し、Ｅ−ＵＴＲＡ  ＲＲＣメッセージにおける１つまたは複数のコンフィギュレーションを適用して基地局１２２と通信する。たとえば、ＵＥ１１０は、Ｅ−ＵＴＲＡ  ＲＲＣメッセージにおけるランダムアクセスコンフィギュレーションを使用して基地局１２２とのランダムアクセス手順を実行する。ランダムアクセス手順では、ユーザ機器１１０は、ランダムアクセスプリアンブルを基地局１２２に送信し、ランダムアクセス応答を基地局１２２から受信する。
【００４１】
ＵＥ１１０がフルコンフィギュレーションを適用する場合、ＵＥ１１０は、基地局１２１とのＰＤＣＰプロトコルデータユニットの通信を構成するＰＤＣＰコンフィギュレーションを含むＰＤＣＰエンティティ３１２を解放する。ＵＥ１１０は、基地局１２１または基地局１２３などの別の５Ｇ  ＮＲ基地局１２０からＰＤＣＰコンフィギュレーションを受信してもよい。ＵＥ１１０は、Ｅ−ＵＴＲＡ  ＲＲＣメッセージに指定された新たなＰＤＣＰコンフィギュレーションを有する新たなＰＤＣＰエンティティ３１２を確立してもよい。新たなＰＤＣＰエンティティ３１２は、この新たなＰＤＣＰコンフィギュレーションを使用してＰＤＣＰ  ＰＤＵを基地局１２２とやりとりする。新たなＰＤＣＰコンフィギュレーションは、新たなＮＲ  ＰＤＣＰコンフィギュレーションであってもよく、またはＥ−ＵＴＲＡ  ＰＤＣＰコンフィギュレーションであってもよい。
【００４２】
ＵＥ１１０がフルコンフィギュレーションを適用する場合、ＵＥ１１０はＳＤＡＰエンティティ３１４を解放する。すなわち、ＵＥ１１０は、ＳＤＡＰエンティティ３１４によって使用されるＳＤＡＰコンフィギュレーションを解放して、基地局１２１と通信する。ＵＥ１１０は、基地局１２１または基地局１２３からＳＤＡＰコンフィギュレーションを受信してもよい。ＵＥ１１０は、Ｅ−ＵＴＲＡ  ＲＲＣメッセージに指定された新たなＳＤＡＰコンフィギュレーションを有する新たなＳＤＡＰエンティティ３１４を確立してもよい。新たなＳＤＡＰエンティティ３１４は、この新たなＳＤＡＰコンフィギュレーションを使用してＳＤＡＰ  ＰＤＵを基地局１２３とやりとりする。
【００４３】
ＵＥ１１０がデルタコンフィギュレーションを適用する場合、ＵＥ１１０はＰＤＣＰエンティティ３１２を保持する。ＵＥ１１０は、ＰＤＣＰエンティティ３１２によって使用される元のＰＤＣＰコンフィギュレーション（たとえば、ＮＲ  ＰＤＣＰコンフィギュレーション）を保持してＰＤＣＰ  ＰＤＵを基地局１２１とやりとりする。ＵＥ１１０は、基地局１２１または基地局１２３から元のＰＤＣＰコンフィギュレーションを受信してもよい。Ｅ−ＵＴＲＡ  ＲＲＣメッセージが新たなＰＤＣＰコンフィギュレーション情報を含んでいない場合には、ＵＥ１１０は、元のＰＤＣＰコンフィギュレーションを使用し続けてＰＤＣＰ  ＰＤＵを基地局１２３とやりとりする。Ｅ−ＵＴＲＡ  ＲＲＣメッセージが新たなＰＤＣＰコンフィギュレーション情報を含んでいる場合には、ＵＥ１１０は、この新たなＰＤＣＰコンフィギュレーションに合わせてＰＤＣＰエンティティ３１２を再構成する。
【００４４】
ＵＥ１１０がデルタコンフィギュレーションを適用する場合、ＵＥ１１０は、ＳＤＡＰエンティティ３１４を保持し、そのＳＤＡＰエンティティ３１４の元のＳＤＡＰコンフィギュレーションを使用し続けてＳＤＡＰ  ＰＤＵを基地局１２１とやりとりする。ＵＥ１１０は、基地局１２１または基地局１２３から元のＳＤＡＰコンフィギュレーション情報を受信してもよい。Ｅ−ＵＴＲＡ  ＲＲＣメッセージが新たなＳＤＡＰコンフィギュレーションを含んでいない場合には、ＵＥ１１０は、現在のＳＤＡＰコンフィギュレーションを使用し続けてＳＤＡＰ  ＰＤＵを基地局１２３とやりとりする。Ｅ−ＵＴＲＡ  ＲＲＣメッセージが新たなＳＤＡＰコンフィギュレーション情報を含んでいる場合には、ＵＥ１１０は、この新たなＳＤＡＰコンフィギュレーションに合わせてＳＤＡＰエンティティ３１４を再構成する。
【００４５】
Ｅ−ＵＴＲＡ  ＲＲＣメッセージは、基地局１２２によって提供されるＥ−ＵＴＲＡセルを使用して通信するようにＵＥ１１０を構成してもよい。ＵＥ１１０は、Ｅ−ＵＴＲＡセルを介して基地局１２２に接続し、Ｅ−ＵＴＲＡセルを介してＥ−ＵＴＲＡ  ＲＲＣ応答メッセージを基地局１２２に送信する。ＵＥ１１０は、ＮＲ  ＲＲＣメッセージに応答するＮＲ  ＲＲＣ応答メッセージを送信しない。ＵＥ１１０は、ＮＲ  ＲＲＣメッセージまたはＥ−ＵＴＲＡ  ＲＲＣメッセージに応答して基地局１２１との接続を切る。
【００４６】
Ｅ−ＵＴＲＡ  ＲＲＣメッセージが５ＧＣ１５０に接続するようにＵＥ１１０を構成する場合、ＵＥ１１０は、Ｅ−ＵＴＲＡ  ＲＲＣメッセージが５ＧＣ１５０に接続されたＥ−ＵＴＲＡ基地局１２２へのハンドオーバのためのものであると判断してもよい。
【００４７】
Ｅ−ＵＴＲＡ  ＲＲＣメッセージがＥＰＣ１６０に接続するようにＵＥ１１０を構成するかまたは５ＧＣ１５０に接続するようにＵＥ１１０を構成しない場合、ＵＥ１１０は、Ｅ−ＵＴＲＡ  ＲＲＣメッセージがＥＰＣ１６０に接続されたＥ−ＵＴＲＡ基地局１２４へのハンドオーバのためのものであると判断してもよい。
【００４８】
さらなる局面において、ＵＥ１１０がフルコンフィギュレーションを適用するつもりであることを示すフルコンフィギュレーションインジケータをＥ−ＵＴＲＡ  ＲＲＣメッセージが含んでいる場合に、ＵＥ１１０はＰＤＣＰエンティティ３１２を解放してもよい。さらなる局面において、Ｅ−ＵＴＲＡ  ＲＲＣメッセージがフルコンフィギュレーションインジケータを含んでいない場合に、ＵＥ１１０はＰＤＣＰエンティティ３１２を解放してもよい。
【００４９】
ハンドオーバを完了させるために、ＵＥ１１０は、ターゲット基地局でパケットデータコンバージェンスプロトコルエンティティを確立する。サービスデータアダプテーションプロトコルエンティティがソース基地局で確立された場合、ＵＥ１１０は、ターゲット基地局でサービスデータアダプテーションプロトコルエンティティを確立する。ハンドオーバが完了したことを示すために、ＵＥ１１０は、RRCConnectionConfigurationCompleteメッセージを送信する。
【００５０】
図４は、本明細書に記載されている技術の局面に係る、ハンドオーバの際のＵＥ１１０によるプロトコル処理に概して関連する無線アクセス技術間ハンドオーバの方法の一例４００を示す図である。ブロック４０２において、ＵＥは、メディアアクセス制御（ＭＡＣ）エンティティ、無線リンク制御（ＲＬＣ）エンティティおよびパケットデータコンバージェンスプロトコル（ＰＤＣＰ）エンティティを使用してソース５Ｇ  ＮＲ基地局と通信する。たとえば、ＵＥ１１０は、ＭＡＣエンティティ３０８、ＲＬＣエンティティ３１０およびＰＤＣＰエンティティ３１２を使用して５Ｇ  ＮＲ基地局１２１と通信する。
【００５１】
ブロック４０４において、ＵＥは、５Ｇコアネットワークに接続されたターゲットＥ−ＵＴＲＡ基地局へのハンドオーバのためのＥ−ＵＴＲＡ  ＲＲＣメッセージを含む５Ｇ  ＮＲ無線リソース制御（ＲＲＣ）メッセージ（たとえば、RRCConnectionConfigurationメッセージ）を５Ｇ  ＮＲ基地局から受信する。たとえば、ＵＥ１１０は、５ＧＣ１５０に接続されたＥ−ＵＴＲＡ基地局１２２へのハンドオーバのためのＥ−ＵＴＲＡ  ＲＲＣメッセージを含む５Ｇ  ＮＲ  ＲＲＣメッセージを５Ｇ  ＮＲ基地局１２１から受信する。Ｅ−ＵＴＲＡ  ＲＲＣメッセージは、基地局１２２が５ＧＣ１５０またはＥＰＣ１６０に接続されているとの表示を含む。
【００５２】
ブロック４０６において、Ｅ−ＵＴＲＡ  ＲＲＣメッセージを含む５Ｇ  ＮＲ  ＲＲＣメッセージを受信したことに応答して、ＵＥは、ＭＡＣエンティティおよびＲＬＣエンティティを解放する。たとえば、５Ｇ  ＮＲ  ＲＲＣメッセージまたはＥ−ＵＴＲＡ  ＲＲＣメッセージを受信したことに応答して、ＵＥ１１０は、ＭＡＣエンティティ３０８およびＲＬＣエンティティ３１０を解放する。
【００５３】
ブロック４０８において、ＵＥは、Ｅ−ＵＴＲＡ  ＲＲＣメッセージがフルコンフィギュレーションインジケータ（たとえば、RRCConnectionReconfigurationメッセージにおけるfullConfigフィールド）を含んでいるか否かを判断する。Ｅ−ＵＴＲＡ  ＲＲＣメッセージがフルコンフィギュレーションインジケータを含んでいない場合、ブロック４１０において、ＵＥはＰＤＣＰエンティティを保持する。Ｅ−ＵＴＲＡ  ＲＲＣメッセージがフルコンフィギュレーションインジケータを含んでいる場合、ブロック４１２において、ＵＥはＰＤＣＰエンティティを解放する。たとえば、ＵＥ１１０は、Ｅ−ＵＴＲＡ  ＲＲＣメッセージがフルコンフィギュレーションインジケータを含んでいるか否かを判断する。Ｅ−ＵＴＲＡ  ＲＲＣメッセージがフルコンフィギュレーションインジケータを含んでいない場合、ＵＥ１１０はＰＤＣＰエンティティ３１２を保持する。Ｅ−ＵＴＲＡ  ＲＲＣメッセージがフルコンフィギュレーションインジケータを含んでいる場合、ＵＥ１１０はＰＤＣＰエンティティ３１２を解放する。
【００５４】
ＵＥがそのＰＤＣＰエンティティを再確立する状況は、コンフィギュレーションインジケータ（フルまたは非フル、デルタまたは非デルタ）および他の表示（明示的な再確立インジケータまたは暗黙的な再確立インジケータ）のさまざまな実現例によって決まってもよい。一局面において、Ｅ−ＵＴＲＡ  ＲＲＣメッセージがフルコンフィギュレーションインジケータを含んでいない場合、ＵＥ１１０はＰＤＣＰエンティティ３１２を再確立してもよい。Ｅ−ＵＴＲＡ  ＲＲＣメッセージがフルコンフィギュレーションインジケータを含んでおらず、ＮＲ通信のために確立されたＰＤＣＰエンティティ３１２をＵＥが使用し続けていることを示す場合、ＵＥ１１０はＰＤＣＰエンティティ３１２を再確立しなくてもよい。別の局面において、Ｅ−ＵＴＲＡ  ＲＲＣメッセージは、ＰＤＣＰエンティティ３１２を再確立するとの表示を含んでいてもよい。Ｅ−ＵＴＲＡ  ＲＲＣメッセージがこの表示を含んでいない場合、ＵＥ１１０はＰＤＣＰエンティティ３１２を再確立しない。Ｅ−ＵＴＲＡ  ＲＲＣメッセージがこの表示を含んでいる場合、ＵＥ１１０はＰＤＣＰエンティティ３１２を再確立する。逆に、Ｅ−ＵＴＲＡ  ＲＲＣメッセージは、ＰＤＣＰエンティティ３１２を再確立しないとの表示を含んでいてもよい。Ｅ−ＵＴＲＡ  ＲＲＣメッセージがこの表示を含んでいる場合、ＵＥ１１０はＰＤＣＰエンティティ３１２を確立しない。Ｅ−ＵＴＲＡ  ＲＲＣメッセージがこの表示を含んでいない場合、ＵＥ１１０はＰＤＣＰエンティティ３１２を再確立する。
【００５５】
さらなる局面において、Ｅ−ＵＴＲＡ  ＲＲＣメッセージがフルコンフィギュレーションインジケータを含んでいるか否かにかかわらず、Ｅ−ＵＴＲＡ  ＲＲＣメッセージがＥＰＣ１６０に接続されたＥ−ＵＴＲＡ基地局１２０へのハンドオーバのためのものである場合、ＵＥ１１０はＰＤＣＰエンティティ３１２を解放してもよい。
【００５６】
別の局面において、ブロック４０２において、ＵＥ１１０は、ＭＡＣエンティティ３０８、ＲＬＣエンティティ３１０、ＰＤＣＰエンティティ３１２およびＳＤＡＰエンティティ３１４を使用して５Ｇ  ＮＲ基地局１２１と通信してもよい。この場合、ブロック４１２において、ＵＥ１１０はＳＤＡＰエンティティ３１４を解放する。
【００５７】
さらなる局面において、Ｅ−ＵＴＲＡ  ＲＲＣメッセージがフルコンフィギュレーションインジケータを含んでいない場合、Ｅ−ＵＴＲＡ  ＲＲＣメッセージは、デルタコンフィギュレーションインジケータを含んでいてもよく、またはデルタコンフィギュレーションインジケータを含んでいなくてもよい。ＵＥ１１０は、ブロック４１２においてＥ−ＵＴＲＡ  ＲＲＣメッセージに含まれるフルコンフィギュレーションを適用してもよく、またはブロック４１０においてデルタコンフィギュレーションメッセージを適用してもよい。
【００５８】
図５は、ソース５Ｇ  ＮＲ基地局１２１からターゲットＥ−ＵＴＲＡ基地局１２２へのハンドオーバの際のＵＥ１１０によるプロトコル処理に概して関連する無線アクセス技術間ハンドオーバの方法の一例５００を示す図である。ブロック５０２において、ＵＥは、メディアアクセス制御（ＭＡＣ）エンティティ、無線リンク制御（ＲＬＣ）エンティティおよびパケットデータコンバージェンスプロトコル（ＰＤＣＰ）エンティティを使用して５Ｇ  ＮＲ基地局と通信する。たとえば、ＵＥ１１０は、ＭＡＣエンティティ３０８、ＲＬＣエンティティ３１０およびＰＤＣＰエンティティ３１２を使用して５Ｇ  ＮＲ基地局１２１と通信する。
【００５９】
ブロック５０４において、ＵＥは、Ｅ−ＵＴＲＡ基地局へのハンドオーバのためのＥ−ＵＴＲＡ  ＲＲＣメッセージを含む５Ｇ  ＮＲ  ＲＲＣメッセージ（たとえば、RRCConnectionConfigurationメッセージ）を５Ｇ  ＮＲ基地局から受信する。たとえば、ＵＥ１１０は、Ｅ−ＵＴＲＡ基地局１２２のためのＥ−ＵＴＲＡ  ＲＲＣメッセージを含む５Ｇ  ＮＲ  ＲＲＣメッセージを５Ｇ  ＮＲ基地局１２１から受信する。
【００６０】
ブロック５０６において、５Ｇ  ＮＲ  ＲＲＣメッセージまたはＥ−ＵＴＲＡ  ＲＲＣメッセージを受信したことに応答して、ＵＥは、ＭＡＣエンティティおよびＲＬＣエンティティを解放する。たとえば、５Ｇ  ＮＲ  ＲＲＣメッセージまたは封入されたＥ−ＵＴＲＡ  ＲＲＣメッセージを受信したことに応答して、ＵＥ１１０は、ＭＡＣエンティティ３０８およびＲＬＣエンティティ３１０を解放する。
【００６１】
ブロック５０８において、Ｅ−ＵＴＲＡ  ＲＲＣメッセージがデルタコンフィギュレーションインジケータを含んでいる場合、ＵＥはＰＤＣＰエンティティを保持する。Ｅ−ＵＴＲＡ  ＲＲＣメッセージがデルタコンフィギュレーションインジケータを含んでいない（たとえば、ＵＥがフルコンフィギュレーションを適用することを示すフルコンフィギュレーションインジケータをメッセージが含んでいる）場合、ＵＥ１１０はＰＤＣＰエンティティ３１２を保持する。さらなる局面において、ブロック５０８において、Ｅ−ＵＴＲＡ  ＲＲＣメッセージがフルコンフィギュレーションインジケータもデルタコンフィギュレーションインジケータも含んでいない場合、ＵＥ１１０はＰＤＣＰエンティティ３１２を解放してもよい。
【００６２】
別の局面において、ブロック５０２において、ＵＥ１１０は、ＭＡＣエンティティ３０８、ＲＬＣエンティティ３１０、ＰＤＣＰエンティティ３１２およびＳＤＡＰエンティティ３１４を使用して基地局１２１と通信してもよい。この場合、ブロック５０８において、ＵＥ１１０はＳＤＡＰエンティティ３１４を保持する。
【００６３】
図６は、ソース５Ｇ  ＮＲ基地局１２１からターゲットＥ−ＵＴＲＡ基地局１２２へのハンドオーバの際のＵＥ１１０によるプロトコル処理に概して関連する無線アクセス技術間ハンドオーバの方法の一例６００を示す図である。ブロック６０２において、ＵＥは、メディアアクセス制御（ＭＡＣ）エンティティ、無線リンク制御（ＲＬＣ）エンティティおよびパケットデータコンバージェンスプロトコル（ＰＤＣＰ）エンティティを使用して５Ｇ  ＮＲ基地局と通信する。たとえば、ＵＥ１１０は、ＭＡＣエンティティ３０８、ＲＬＣエンティティ３１０およびＰＤＣＰエンティティ３１２を使用して５Ｇ  ＮＲ基地局１２１と通信する。
【００６４】
ブロック６０４において、ＵＥは、Ｅ−ＵＴＲＡ基地局へのハンドオーバのためのＥ−ＵＴＲＡ  ＲＲＣメッセージを含む５Ｇ  ＮＲ無線リソース制御（ＲＲＣ）メッセージ（たとえば、RRCConnectionConfigurationメッセージ）を５Ｇ  ＮＲ基地局から受信する。たとえば、ＵＥ１１０は、Ｅ−ＵＴＲＡ基地局１２２へのハンドオーバのためのＥ−ＵＴＲＡ  ＲＲＣメッセージを含む５Ｇ  ＮＲ  ＲＲＣメッセージを５Ｇ  ＮＲ基地局１２１から受信する。Ｅ−ＵＴＲＡ  ＲＲＣメッセージは、ＵＥ１１０がフルコンフィギュレーションを適用するつもりであることを示しておらず、ＵＥ１１０がデルタコンフィギュレーションを適用するつもりであることも示していない。フルコンフィギュレーションまたは部分コンフィギュレーションを適用するとの表示（たとえば、RRCConnectionReconfigurationメッセージにおけるfullConfigフィールド）は、ＮＲ  ＲＲＣメッセージに含まれている。
【００６５】
ブロック６０６において、５Ｇ  ＮＲ  ＲＲＣメッセージまたはＥ−ＵＴＲＡ  ＲＲＣメッセージを受信したことに応答して、ＵＥは、ＭＡＣエンティティおよびＲＬＣエンティティを解放する。たとえば、５Ｇ  ＮＲ  ＲＲＣメッセージまたはＥ−ＵＴＲＡ  ＲＲＣメッセージを受信したことに応答して、ＵＥ１１０は、ＭＡＣエンティティ３０８およびＲＬＣエンティティ３１０を解放する。
【００６６】
ブロック６０８において、ＵＥは、ＵＥ１１０がフルコンフィギュレーションを適用するつもりであることをＮＲ  ＲＲＣメッセージが示しているかＵＥ１１０がデルタコンフィギュレーションを適用するつもりであることをＮＲ  ＲＲＣメッセージが示しているかを判断する。デルタコンフィギュレーションが適用される場合、ブロック６１０において、ＵＥ１１０はＰＤＣＰエンティティを保持する。フルコンフィギュレーションが適用される場合、ブロック６１２において、ＵＥはＰＤＣＰエンティティを解放する。たとえば、ＵＥ１１０は、フルコンフィギュレーションが適用されることをＮＲ  ＲＲＣメッセージが示しているかデルタコンフィギュレーションが適用されることをＮＲ  ＲＲＣメッセージが示しているかを判断する。デルタコンフィギュレーションが適用される場合、ＵＥ１１０はＰＤＣＰエンティティ３１２を保持する。フルコンフィギュレーションが適用される場合、ＵＥ１１０はＰＤＣＰエンティティ３１２を解放する。
【００６７】
別の局面において、ＮＲ  ＲＲＣメッセージにおいてデルタコンフィギュレーションが示される場合、ＵＥ１１０はＥ−ＵＴＲＡ  ＲＲＣメッセージにデルタコンフィギュレーションを適用する。ＮＲ  ＲＲＣメッセージにおいてフルコンフィギュレーションが示される場合、ＵＥ１１０はＥ−ＵＴＲＡ  ＲＲＣメッセージにフルコンフィギュレーションを適用する。
【００６８】
さらなる局面において、ブロック６０２において、ＵＥ１１０は、ＭＡＣエンティティ３０８、ＲＬＣエンティティ３１０、ＰＤＣＰエンティティ３１２およびＳＤＡＰエンティティ３１４を使用して基地局１２１と通信してもよい。この場合、ブロック６１２において、ＵＥ１１０はＳＤＡＰエンティティ３１４を解放する。
【００６９】
さらなる局面において、ＮＲ  ＲＲＣメッセージがフルコンフィギュレーションインジケータを含んでいない場合、ＮＲ  ＲＲＣメッセージは、デルタコンフィギュレーションインジケータを含んでいてもよく、またはデルタコンフィギュレーションインジケータを含んでいなくてもよい。ＵＥ１１０は、ブロック６１０においてＮＲ  ＲＲＣメッセージに含まれるフルコンフィギュレーションを適用してもよく、またはブロック６１２においてデルタコンフィギュレーションメッセージを適用してもよい。
【００７０】
ある局面において、Ｅ−ＵＴＲＡ  ＲＲＣメッセージに示されるフルコンフィギュレーションインジケータを使用する代わりに、ＵＥ１１０がＥ−ＵＴＲＡ  ＲＲＣメッセージにフルコンフィギュレーションを適用するつもりであることを示すためにフルコンフィギュレーションインジケータを含んでもよい。Ｅ−ＵＴＲＡ  ＲＲＣメッセージは、フルコンフィギュレーションインジケータを含んでいない。ＵＥは、５Ｇ  ＮＲ  ＲＲＣメッセージにおけるフルコンフィギュレーションインジケータに応答してフルコンフィギュレーションを適用する。一例では、５Ｇ  ＮＲ  ＲＲＣメッセージがフルコンフィギュレーションインジケータを含んでいない場合に、５Ｇ  ＮＲ  ＲＲＣメッセージは、ＵＥ１１０がＥ−ＵＴＲＡ  ＲＲＣメッセージにデルタコンフィギュレーションを適用するつもりであることを示してもよい。
【００７１】
一例では、ＮＲ  ＲＲＣメッセージは、Ｅ−ＵＴＲＡ  ＲＲＣメッセージにおけるデルタコンフィギュレーションインジケータを使用する代わりに、ＵＥ１１０がＥ−ＵＴＲＡ  ＲＲＣメッセージにデルタコンフィギュレーションを適用するつもりであることを示すためにデルタコンフィギュレーションインジケータを含んでもよい。Ｅ−ＵＴＲＡ  ＲＲＣメッセージは、デルタコンフィギュレーションインジケータを含んでいない。ＵＥは、５Ｇ  ＮＲ  ＲＲＣメッセージにおけるデルタコンフィギュレーションインジケータに応答してデルタコンフィギュレーションを適用する。一例では、ＮＲ  ＲＲＣメッセージがＥ−ＵＴＲＡ  ＲＲＣメッセージのためのデルタコンフィギュレーションインジケータを含んでいない場合に、ＮＲ  ＲＲＣメッセージは、ＵＥ１１０がフルコンフィギュレーションを適用するつもりであることを示す。
【００７２】
基地局の無線技術間ハンドオーバ方法
図７は、ＵＥ１１０のハンドオーバの際の基地局１２２によるプロトコル処理に概して関連する無線アクセス技術間ハンドオーバの方法の一例７００を示す図である。ブロック７０２において、ターゲット基地局（たとえば、Ｅ−ＵＴＲＡ基地局）は、ＵＥをＥ−ＵＴＲＡにハンドオーバするためのハンドオーバ要求メッセージを受信する。たとえば、基地局１２２は、ユーザ機器１１０をＥ−ＵＴＲＡにハンドオーバするためのハンドオーバ要求メッセージを受信する。
【００７３】
ブロック７０４において、Ｅ−ＵＴＲＡ基地局は、ハンドオーバ要求メッセージがＥＰＣネットワークに接続されたＥ−ＵＴＲＡ基地局へのハンドオーバを要求しているか５ＧＣネットワークに接続されたＥ−ＵＴＲＡ基地局へのハンドオーバを要求しているかを判断する。たとえば、基地局１２２は、ハンドオーバ要求メッセージがＥＰＣ１６０に接続されたＥ−ＵＴＲＡ基地局１２０へのハンドオーバを要求しているか５ＧＣ１５０に接続されたＥ−ＵＴＲＡ基地局１２０へのハンドオーバを要求しているかを判断する。
【００７４】
ブロック７０６において、ハンドオーバ要求メッセージがＥＰＣネットワークに接続されたＥ−ＵＴＲＡ基地局へのハンドオーバを要求しているとＥ−ＵＴＲＡ基地局が判断すると、Ｅ−ＵＴＲＡ基地局は、フルコンフィギュレーション表示を含んでいないＥ−ＵＴＲＡ  ＲＲＣメッセージを含むハンドオーバ要求確認メッセージを送信する。たとえば、ハンドオーバ要求メッセージがＥＰＣ１６０に接続されたＥ−ＵＴＲＡ基地局１２０へのハンドオーバを要求していると基地局１２２が判断すると、基地局１２２は、フルコンフィギュレーション表示を含んでいないＥ−ＵＴＲＡ  ＲＲＣメッセージを含むハンドオーバ要求確認メッセージを送信する。
【００７５】
ブロック７０８において、ハンドオーバ要求メッセージが５ＧＣネットワークに接続されたＥ−ＵＴＲＡ基地局へのハンドオーバを要求しているとＥ−ＵＴＲＡ基地局が判断すると、Ｅ−ＵＴＲＡ基地局は、フルコンフィギュレーションが適用されることを示すＥ−ＵＴＲＡ  ＲＲＣメッセージを含むハンドオーバ要求確認メッセージを送信する。たとえば、ハンドオーバ要求メッセージが５ＧＣ１６０に接続されたＥ−ＵＴＲＡ基地局１２０へのハンドオーバを要求していると基地局１２２が判断すると、基地局１２２は、フルコンフィギュレーションが適用されることを示すＥ−ＵＴＲＡ  ＲＲＣメッセージを含むハンドオーバ要求確認メッセージを送信する。
【００７６】
局面において、５ＧＣ１５０からＥＰＣ１６０へのハンドオーバは、ＮＲ  ＲＡＮ１４１からＥＰＣ１６０に接続されたＥ−ＵＴＲＡ基地局１２２へのハンドオーバを含み、または、上記のハンドオーバは、５ＧＣ１５０に接続された基地局１２２からＥＰＣ１６０に接続されたＥ−ＵＴＲＡ基地局１２４へのハンドオーバを含む。
【００７７】
場合によっては、基地局１２２がコアネットワーク内のモビリティ管理機能（たとえば、ＭＭＥ１６２またはＡＭＦ１５２）からハンドオーバ要求メッセージを受信すると、基地局１２２は、ハンドオーバ要求確認メッセージをコアネットワーク内のモビリティ管理機能に送信する。ハンドオーバ要求確認メッセージをコアネットワーク内のモビリティ管理機能に送信することは、モビリティ管理機能にＥ−ＵＴＲＡ  ＲＲＣメッセージを別の基地局１２０に送信させ、この別の基地局１２０は、Ｅ−ＵＴＲＡ  ＲＲＣメッセージをＵＥ１１０に送信する。さらなる局面において、基地局１２２がＥ−ＵＴＲＡＮ１４２またはＮＲ  ＲＡＮ１４１内の第３の基地局１２０からハンドオーバ要求メッセージを受信すると、基地局１２２は、ハンドオーバ要求確認メッセージを第３の基地局１２０に送信し、この第３の基地局１２０は、Ｅ−ＵＴＲＡ  ＲＲＣメッセージをＵＥ１１０に送信する。
【００７８】
基地局１２２がＳ１インターフェイス１０６に沿ってハンドオーバ要求メッセージを受信すると、基地局１２２は、ハンドオーバ要求確認メッセージをＳ１インターフェイス１０６に送信してもよい。しかし、場合によっては、基地局１２２がＸ２インターフェイス１１４に沿ってハンドオーバ要求メッセージを受信すると、基地局１２２は、ハンドオーバ要求確認メッセージをＸ２インターフェイス１１４に沿って送信する。別の局面において、基地局１２２がＸｎインターフェイスに沿ってハンドオーバ要求メッセージを受信すると、基地局１２２は、ハンドオーバ要求確認メッセージをＸｎインターフェイスに沿って送信する。基地局１２２が５ＧＣ１５０に接続されている場合、基地局１２２は、Ｘｎインターフェイス（１１６で図示）およびＸ２インターフェイスを介して通信をサポートしてもよい。さらなる局面において、基地局１２２がＮＧインターフェイス１８０に沿ってハンドオーバ要求メッセージを受信すると、基地局１２２は、ハンドオーバ要求確認メッセージをＮＧインターフェイス１８０に沿って送信する。
【００７９】
さらなる局面において、ＵＥ１１０がフルコンフィギュレーション表示を含んでいないＥ−ＵＴＲＡ  ＲＲＣメッセージを受信すると、第１のＥ−ＵＴＲＡ  ＲＲＣメッセージがその表示を含んでいなくても、ＵＥ１１０はデフォルトでフルコンフィギュレーションを適用する。当然のことながら、ＵＥ１１０がフルコンフィギュレーションを適用するつもりであることを示すＥ−ＵＴＲＡ  ＲＲＣメッセージをＵＥ１１０が受信すると、ＵＥ１１０はその表示に従ってフルコンフィギュレーションを適用する。
【００８０】
図８は、ＵＥ１１０のハンドオーバの際の基地局１２４によるプロトコル処理に概して関連する無線アクセス技術間ハンドオーバの方法の一例８００を示す図である。ブロック８０２において、Ｅ−ＵＴＲＡ基地局は、ＵＥをＥ−ＵＴＲＡ基地局にハンドオーバするためのハンドオーバ要求メッセージを受信する。たとえば、基地局１２４は、ＵＥ１１０を基地局１２４にハンドオーバするためのハンドオーバ要求メッセージを受信する。
【００８１】
ブロック８０４において、Ｅ−ＵＴＲＡ基地局は、ハンドオーバ要求メッセージがコアネットワークを５ＧＣネットワークからＥＰＣネットワークに変更した状態でのＥ−ＵＴＲＡ基地局へのハンドオーバを要求しているか、コアネットワークを変更することなくＥ−ＵＴＲＡＮ内の基地局間のハンドオーバを要求しているかを判断する。たとえば、コアネットワークをＥＰＣ１６０または５ＧＣ１５０に変更した状態の基地局１２４、またはコアネットワークを変更することのないＥ−ＵＴＲＡＮ１４２内の基地局１２４である。
【００８２】
ブロック８０６において、ハンドオーバ要求メッセージがコアネットワークを５ＧＣネットワークからＥＰＣネットワークに変更した状態でのＥ−ＵＴＲＡ基地局へのハンドオーバを要求しているとＥ−ＵＴＲＡ基地局が判断すると、Ｅ−ＵＴＲＡ基地局は、フルコンフィギュレーション表示を含んでいないＥ−ＵＴＲＡ  ＲＲＣメッセージを含むハンドオーバ要求確認メッセージを送信する。たとえば、ハンドオーバ要求メッセージがコアネットワークを５ＧＣ１５０からＥＰＣ１６０に変更することを含むＥ−ＵＴＲＡ基地局１２４へのハンドオーバを要求していると基地局１２４が判断すると、基地局１２４は、フルコンフィギュレーション表示を含んでいないＥ−ＵＴＲＡ  ＲＲＣメッセージを含むハンドオーバ要求確認メッセージを送信する。
【００８３】
ブロック８０８において、ハンドオーバ要求メッセージがＥ−ＵＴＲＡＮ内でのハンドオーバを要求しているとＥ−ＵＴＲＡ基地局が判断すると、Ｅ−ＵＴＲＡ基地局は、フルコンフィギュレーションがＵＥによって適用されることを示すＥ−ＵＴＲＡ  ＲＲＣメッセージを含むハンドオーバ要求確認メッセージを送信する。たとえば、ハンドオーバ要求メッセージがＥ−ＵＴＲＡＮ１４２内でのハンドオーバを要求していると基地局１２４が判断すると、基地局１２４は、フルコンフィギュレーションがＵＥ１１０によって適用されることを示すＥ−ＵＴＲＡ  ＲＲＣメッセージを含むハンドオーバ要求確認メッセージを送信する。
【００８４】
局面において、５ＧＣ１５０からＥＰＣ１６０に変更することを含む基地局１２４へのハンドオーバは、ＮＲ  ＲＡＮ１４１からＥＰＣ１６０に接続されたＥ−ＵＴＲＡ基地局１２４へのハンドオーバを含み、または、上記のハンドオーバは、５ＧＣ１５０に接続された基地局１２２からＥＰＣ１６０に接続されたＥ−ＵＴＲＡ基地局１２４へのハンドオーバを含む。
【００８５】
別の局面において、基地局１２４がコアネットワーク内のモビリティ管理機能（たとえば、モビリティ管理エンティティ（ＭＭＥ））からハンドオーバ要求メッセージを受信すると、基地局１２４は、ハンドオーバ要求確認メッセージをコアネットワーク内のモビリティ管理機能に送信する。ハンドオーバ要求確認メッセージをコアネットワーク内のモビリティ管理機能に送信することは、モビリティ管理機能にＥ−ＵＴＲＡ  ＲＲＣメッセージを別の基地局１２０に送信させ、この別の基地局１２０は、Ｅ−ＵＴＲＡ  ＲＲＣメッセージをＵＥ１１０に送信する。さらなる局面において、基地局１２４がＥ−ＵＴＲＡＮ１４２またはＮＲ  ＲＡＮ１４１内の第３の基地局１２０からハンドオーバ要求メッセージを受信すると、基地局１２４は、ハンドオーバ要求確認メッセージを第３の基地局１２０に送信し、この第３の基地局１２０は、Ｅ−ＵＴＲＡ  ＲＲＣメッセージをＵＥ１１０に送信する。
【００８６】
基地局１２４がＳ１インターフェイス１０６に沿ってハンドオーバ要求メッセージを受信すると、基地局１２４は、ハンドオーバ要求確認メッセージをＳ１インターフェイス１０６に送信してもよい。基地局１２４がＸ２インターフェイス１１４に沿ってハンドオーバ要求メッセージを受信すると、基地局１２４は、ハンドオーバ要求確認メッセージをＸ２インターフェイス１１４に沿って送信してもよい。
【００８７】
さらなる局面において、ＵＥ１１０がフルコンフィギュレーション表示を含んでいないＥ−ＵＴＲＡ  ＲＲＣメッセージを受信すると、第１のＥ−ＵＴＲＡ  ＲＲＣメッセージがその表示を含んでいなくても、ＵＥ１１０はデフォルトでフルコンフィギュレーションを適用する。当然のことながら、ＵＥ１１０がフルコンフィギュレーションを適用するつもりであることを示すＥ−ＵＴＲＡ  ＲＲＣメッセージをＵＥ１１０が受信すると、ＵＥ１１０はその表示に従ってフルコンフィギュレーションを適用する。
【００８８】
図９は、ＵＥ１１０のハンドオーバの際の基地局１２２によるプロトコル処理に概して関連する無線アクセス技術間ハンドオーバの方法の一例９００を示す図である。ブロック９０２において、Ｅ−ＵＴＲＡ基地局は、ＵＥを５ＧＣネットワークからＥＰＣネットワークにハンドオーバするためのハンドオーバ要求メッセージ、ＮＲから５ＧＣネットワークに接続されたＥ−ＵＴＲＡにハンドオーバするためのハンドオーバ要求メッセージ、またはＧＳＭ（登録商標）／ＥＤＧＥ無線アクセスネットワーク（ＧＥＲＡＮ）もしくはユニバーサル地上無線アクセスネットワーク（ＵＴＲＡＮ）からＥ−ＵＴＲＡにハンドオーバするためのハンドオーバ要求メッセージを受信する。たとえば、基地局１２２は、ＵＥ１１０を５ＧＣ１５０からＥＰＣ１６０にハンドオーバするためのハンドオーバ要求メッセージ、ＮＲ  ＲＡＮ１４１から５ＧＣ１５０に接続されたＥ−ＵＴＲＡ１４２にハンドオーバするためのハンドオーバ要求メッセージ、またはＧＳＭ／ＥＤＧＥ無線アクセスネットワーク（ＧＥＲＡＮ）もしくはユニバーサル地上無線アクセスネットワーク（ＵＴＲＡＮ）からＥ−ＵＴＲＡＮ１４２にハンドオーバするためのハンドオーバ要求メッセージを受信する。
【００８９】
ブロック９０４において、Ｅ−ＵＴＲＡ基地局は、ハンドオーバ要求メッセージが５ＧＣネットワークからＥＰＣネットワークへのハンドオーバを要求しているか、ＮＲ基地局から５ＧＣネットワークに接続されたＥ−ＵＴＲＡ基地局へのハンドオーバを要求しているか、ＧＥＲＡＮまたはＵＴＲＡＮからＥ−ＵＴＲＡへのハンドオーバを要求しているかを判断する。たとえば、基地局１２２は、ハンドオーバ要求メッセージが５ＧＣ１５０からＥＰＣ１６０へのハンドオーバを要求しているか、ＮＲ  ＲＡＮ１４１から５ＧＣ１５０に接続されたＥ−ＵＴＲＡＮ１４２へのハンドオーバを要求しているか、ＧＥＲＡＮまたはＵＴＲＡＮからＥ−ＵＴＲＡＮ１４２へのハンドオーバを要求しているかを判断する。
【００９０】
ブロック９０６において、ハンドオーバ要求メッセージがＧＥＲＡＮまたはＵＴＲＡＮからＥ−ＵＴＲＡへのハンドオーバを要求しているとＥ−ＵＴＲＡ基地局が判断すると、Ｅ−ＵＴＲＡ基地局は、フルコンフィギュレーション表示を含んでいないＥ−ＵＴＲＡ  ＲＲＣメッセージを含むハンドオーバ要求確認メッセージを送信する。たとえば、ハンドオーバ要求メッセージがＧＥＲＡＮまたはＵＴＲＡＮからＥ−ＵＴＲＡＮ１４２へのハンドオーバを要求していると基地局１２２が判断すると、基地局１２２は、フルコンフィギュレーションを表示を含んでいないＥ−ＵＴＲＡ  ＲＲＣメッセージを含むハンドオーバ要求確認メッセージを送信する。
【００９１】
ブロック９０８において、ハンドオーバ要求メッセージが５ＧＣネットワークからＥＰＣネットワークへのハンドオーバまたはＮＲ基地局から５ＧＣネットワークに接続されたＥ−ＵＴＲＡ基地局へのハンドオーバを要求しているとＥ−ＵＴＲＡ基地局が判断すると、Ｅ−ＵＴＲＡ基地局は、フルコンフィギュレーションが適用されることを示すＥ−ＵＴＲＡ  ＲＲＣメッセージを含むハンドオーバ要求確認メッセージを送信する。たとえば、ハンドオーバ要求メッセージが５ＧＣ１５０からＥＰＣ１６０へのハンドオーバを要求しているかまたはＮＲ  ＲＡＮ１４１から５ＧＣに接続されたＥ−ＵＴＲＡＮ１４２へのハンドオーバを要求していると基地局１２２が判断すると、基地局１２２は、フルコンフィギュレーションが適用されることを示すＥ−ＵＴＲＡ  ＲＲＣメッセージを含むハンドオーバ要求確認メッセージを送信する。
【００９２】
場合によっては、５ＧＣ１５０からＥＰＣ１６０へのハンドオーバは、ＮＲ  ＲＡＮ１４１からＥＰＣ１６０に接続されたＥ−ＵＴＲＡＮ１４２へのハンドオーバを含み、または、上記のハンドオーバは、５ＧＣ１５０に接続されたＥ−ＵＴＲＡＮ１４２からＥＰＣ１６０に接続されたＥ−ＵＴＲＡＮ１４２へのハンドオーバを含む。
【００９３】
基地局１２２がコアネットワーク内のモビリティ管理機能（たとえば、ＭＭＥ１６２またはＡＭＦ１５２）からハンドオーバ要求メッセージを受信すると、基地局１２２は、ハンドオーバ要求確認メッセージをコアネットワーク内のモビリティ管理機能に送信してもよい。ハンドオーバ要求確認メッセージをコアネットワーク内のモビリティ管理機能に送信することは、モビリティ管理機能にＥ−ＵＴＲＡ  ＲＲＣメッセージをＮＲ  ＲＡＮ１４１内の別の基地局１２０またはＧＥＲＡＮもしくはＵＴＲＡＮ内の基地局に送信させ、ＮＲ  ＲＡＮ１４１内の別の基地局１２０またはＧＥＲＡＮもしくはＵＴＲＡＮ内の基地局は、Ｅ−ＵＴＲＡ  ＲＲＣメッセージをＵＥ１１０に送信する。基地局１２２がＥ−ＵＴＲＡＮ１４２またはＮＲ  ＲＡＮ１４１内の第３の基地局１２０からハンドオーバ要求メッセージを受信すると、基地局１２２は、ハンドオーバ要求確認メッセージを第３の基地局１２０に送信してもよく、この第３の基地局１２０は、Ｅ−ＵＴＲＡ  ＲＲＣメッセージをＵＥ１１０に送信する。
【００９４】
局面において、基地局１２２がＳ１インターフェイス１０６に沿ってハンドオーバ要求メッセージを受信すると、基地局１２２は、ハンドオーバ要求確認メッセージをＳ１インターフェイス１０６に送信する。別の局面において、基地局１２２がＸ２インターフェイス１１４に沿ってハンドオーバ要求メッセージを受信すると、基地局１２２は、ハンドオーバ要求確認メッセージをＸ２インターフェイス１１４に沿って送信する。別の局面において、基地局１２２がＸｎインターフェイス１１２に沿ってハンドオーバ要求メッセージを受信すると、基地局１２２は、ハンドオーバ要求確認メッセージをＸｎインターフェイスに沿って送信する。基地局１２２が５ＧＣ１５０に接続されている場合、基地局１２２は、ＸｎインターフェイスおよびＸ２インターフェイスを介して通信をサポートしてもよい。さらなる局面において、基地局１２２がＮＧインターフェイス１８０に沿ってハンドオーバ要求メッセージを受信すると、基地局１２２は、ハンドオーバ要求確認メッセージをＮＧインターフェイス１８０に沿って送信する。
【００９５】
さらなる局面において、ＵＥ１１０がフルコンフィギュレーション表示を含んでいないＥ−ＵＴＲＡ  ＲＲＣメッセージを受信すると、第１のＥ−ＵＴＲＡ  ＲＲＣメッセージがその表示を含んでいなくても、ＵＥ１１０はデフォルトでフルコンフィギュレーションを適用する。当然のことながら、フルコンフィギュレーションが適用されることを示すＥ−ＵＴＲＡ  ＲＲＣメッセージをＵＥ１１０が受信すると、ＵＥ１１０はその表示に従ってフルコンフィギュレーションを適用する。
【００９６】
図１０は、ＵＥ１１０のハンドオーバの際の基地局１２１によるプロトコル処理に概して関連する無線アクセス技術間ハンドオーバの方法の一例１０００を示す図である。ブロック１００２において、ターゲット基地局（たとえば、５Ｇ  ＮＲ基地局）は、ターゲット基地局（たとえば、Ｅ−ＵＴＲＡ基地局）へのＵＥのハンドオーバのためのＥ−ＵＴＲＡ  ＲＲＣメッセージを受信する。たとえば、基地局１２１は、基地局１２２へのＵＥ１１０のハンドオーバのためのＥ−ＵＴＲＡ  ＲＲＣメッセージを受信する。Ｅ−ＵＴＲＡ  ＲＲＣメッセージは、基地局１２２または５ＧＣ１５０内のＡＭＦから受信されてもよい。
【００９７】
ブロック１００４において、５Ｇ  ＮＲ基地局は、ＵＥによってフルコンフィギュレーションが適用されるかデルタコンフィギュレーションが適用されるかを判断する。たとえば、基地局１２１は、ＵＥ１１０によってフルコンフィギュレーションが適用されるかデルタコンフィギュレーションが適用されるかを判断する。
【００９８】
ブロック１００６において、ＵＥによってフルコンフィギュレーションが適用されると５Ｇ  ＮＲ基地局が判断すると、５Ｇ  ＮＲ基地局は、Ｅ−ＵＴＲＡ  ＲＲＣメッセージとフルコンフィギュレーションが適用されるとの表示とを含む、Ｅ−ＵＴＲＡへのハンドオーバのためのＮＲ  ＲＲＣメッセージ（たとえば、RRCConnectionReconfigurationメッセージ）を生成する。たとえば、ＵＥ１１０によってフルコンフィギュレーションが適用されると基地局１２１が判断すると、基地局１２１は、Ｅ−ＵＴＲＡ  ＲＲＣメッセージとフルコンフィギュレーションが適用されるとの表示（たとえば、RRCConnectionReconfigurationメッセージにおけるfullConfigフィールド）とを含む、Ｅ−ＵＴＲＡ基地局１２２へのハンドオーバのためのＮＲ  ＲＲＣメッセージを生成する。
【００９９】
ブロック１００８において、ＵＥによってデルタコンフィギュレーションが適用されると５Ｇ  ＮＲ基地局が判断すると、５Ｇ  ＮＲ基地局は、Ｅ−ＵＴＲＡ  ＲＲＣメッセージとデルタコンフィギュレーションが適用されるとの表示とを含む、Ｅ−ＵＴＲＡへのハンドオーバのためのＮＲ  ＲＲＣメッセージ（たとえば、RRCConnectionReconfigurationメッセージ）を生成する。たとえば、ＵＥ１１０によってデルタコンフィギュレーションが適用されると基地局１２１が判断すると、基地局１２１は、Ｅ−ＵＴＲＡ  ＲＲＣメッセージとデルタコンフィギュレーションが適用されるとの表示とを含む、基地局１２２へのハンドオーバのためのＮＲ  ＲＲＣメッセージを生成する。
【０１００】
ブロック１０１０において、５Ｇ  ＮＲ基地局は、ＮＲ  ＲＲＣメッセージをＵＥに送信し、このＮＲ  ＲＲＣメッセージは、ＵＥにＥ−ＵＴＲＡＮへのハンドオーバを実行させて、表示されたコンフィギュレーションを適用させる。たとえば、基地局１２１は、ＮＲ  ＲＲＣメッセージをＵＥ１１０に送信し、このＮＲ  ＲＲＣメッセージは、ＵＥに基地局１２２へのハンドオーバを実行させて、表示されたフルまたはデルタコンフィギュレーションを適用させる。
【０１０１】
ある局面において、基地局１２１は、フルコンフィギュレーションを適用するかデルタコンフィギュレーションを適用するかを判断する。別の局面において、基地局１２１は、フルコンフィギュレーションを適用するかデルタコンフィギュレーションを適用するかの表示を基地局１２２から受信する。基地局１２２は、ハンドオーバ要求確認メッセージまたはＲＲＣコンテナ（たとえば、ハンドオーバコマンドコンテナ）においてフルコンフィギュレーションを適用するかデルタコンフィギュレーションを適用するかを表示してもよい。
【０１０２】
別の局面において、基地局１２１は、基地局１２１と１２２との間にＸｎインターフェイスがある場合、ハンドオーバ要求メッセージを基地局１２２に送信したことに応答して基地局１２２によって送信されたハンドオーバ要求確認メッセージにおけるＥ−ＵＴＲＡ  ＲＲＣメッセージを受信する。
【０１０３】
さらなる局面において、基地局１２１は、コアネットワーク内のモビリティ管理機能（たとえば、アクセスおよびモビリティ管理機能（ＡＭＦ））からハンドオーバコマンドメッセージにおけるＥ−ＵＴＲＡ  ＲＲＣメッセージを受信する。基地局１２１は、ハンドオーバ要求メッセージをモビリティ管理機能に送信し、これに応答してハンドオーバコマンドメッセージを受信する。
【０１０４】
さらなる局面において、ＮＲ  ＲＲＣメッセージは、フルコンフィギュレーションがＥ−ＵＴＲＡ  ＲＲＣメッセージに適用されることを示すためのフルコンフィギュレーションインジケータを含んでいてもよく、または、ＮＲ  ＲＲＣメッセージは、ＮＲ  ＲＲＣメッセージがフルコンフィギュレーションインジケータを含んでいない場合に、デルタコンフィギュレーションがＥ−ＵＴＲＡ  ＲＲＣメッセージに適用されることを表示してもよい。別の局面において、ＮＲ  ＲＲＣメッセージは、デルタコンフィギュレーションがＥ−ＵＴＲＡ  ＲＲＣメッセージに適用されることを示すためのデルタコンフィギュレーションインジケータを含んでもよい。さらなる局面において、ＮＲ  ＲＲＣメッセージは、ＮＲ  ＲＲＣメッセージがＥ−ＵＴＲＡ  ＲＲＣメッセージのためのデルタコンフィギュレーションインジケータを含んでいない場合に、フルコンフィギュレーションが適用されることを表示する。
【０１０５】
図１１は、ユーザ機器１１０のハンドオーバの際の基地局１２２によるプロトコル処理に概して関連する無線アクセス技術間ハンドオーバの方法の一例１１００を示す図である。ブロック１１０２において、Ｅ−ＵＴＲＡ基地局は、Ｅ−ＵＴＲＡ基地局へのＵＥのハンドオーバのためのハンドオーバ要求メッセージを受信する。たとえば、基地局１２２は、基地局１２２へのＵＥ１１０のハンドオーバのためのハンドオーバ要求メッセージを受信する。
【０１０６】
ブロック１１０４において、Ｅ−ＵＴＲＡ基地局は、ＵＥによってフルコンフィギュレーションが適用されるかデルタコンフィギュレーションが適用されるかを判断する。たとえば、基地局１２２は、ＵＥ１１０によってフルコンフィギュレーションが適用されるかデルタコンフィギュレーションが適用されるかを判断する。
【０１０７】
ブロック１１０６において、ＵＥによってフルコンフィギュレーションが適用されるとＥ−ＵＴＲＡ基地局が判断すると、Ｅ−ＵＴＲＡ基地局は、フルコンフィギュレーションが適用されるとの表示を含む、Ｅ−ＵＴＲＡ基地局へのハンドオーバのためのＥ−ＵＴＲＡ  ＲＲＣメッセージを生成する。たとえば、ＵＥ１１０によってフルコンフィギュレーションが適用されると基地局１２２が判断すると、基地局１２２は、フルコンフィギュレーションが適用されるとの表示を含む、基地局１２２へのハンドオーバのためのＥ−ＵＴＲＡ  ＲＲＣメッセージを生成する。
【０１０８】
ブロック１１０８において、ＵＥによってデルタコンフィギュレーションが適用されるとＥ−ＵＴＲＡ基地局が判断すると、Ｅ−ＵＴＲＡ基地局は、デルタコンフィギュレーションが適用されるとの表示を含む、Ｅ−ＵＴＲＡ基地局へのハンドオーバのためのＥ−ＵＴＲＡ  ＲＲＣを生成する。たとえば、ＵＥ１１０によってデルタコンフィギュレーションが適用されると基地局１２２が判断すると、基地局１２２は、デルタコンフィギュレーションが適用されるとの表示を含んでいるかまたはフルコンフィギュレーションが適用されるとの表示を含んでいない、基地局１２２へのハンドオーバのためのＥ−ＵＴＲＡ  ＲＲＣメッセージを生成する。
【０１０９】
一局面において、Ｅ−ＵＴＲＡ基地局は、別のＥ−ＵＴＲＡ  ＲＲＣメッセージをＵＥに送信し、ＵＥに別のＥ−ＵＴＲＡ基地局へのハンドオーバを実行させて、表示されたコンフィギュレーションを適用させる。たとえば、基地局１２２は、他のＥ−ＵＴＲＡ  ＲＲＣメッセージをＵＥ１１０に送信し、ユーザ機器１１０に基地局１２４へのハンドオーバを実行させて、表示されたフルまたはデルタコンフィギュレーションを適用させる。
【０１１０】
ある局面において、基地局１２２は、フルコンフィギュレーションを適用するかデルタコンフィギュレーションを適用するかを判断する。別の局面において、基地局１２２は、フルコンフィギュレーションを適用するかデルタコンフィギュレーションを適用するかの表示を基地局１２３から受信する。基地局１２３は、ハンドオーバ要求メッセージまたはＲＲＣコンテナ（たとえば、ハンドオーバ準備情報コンテナ）においてフルコンフィギュレーションを適用するかデルタコンフィギュレーションを適用するかを表示してもよい。
【０１１１】
別の局面において、基地局１２２は、ハンドオーバ要求確認メッセージにおけるＥ−ＵＴＲＡ  ＲＲＣメッセージを基地局１２３またはコアネットワーク内のモビリティ管理機能に送信する。Ｅ−ＵＴＲＡ  ＲＲＣメッセージは、フルコンフィギュレーションが適用されることを表示するためのフルコンフィギュレーションインジケータを含んでいてもよい。ハンドオーバ要求確認メッセージをコアネットワーク内のモビリティ管理機能に送信することは、モビリティ管理機能にＥ−ＵＴＲＡ  ＲＲＣメッセージをＮＲ  ＲＡＮ１４１内の基地局１２３に送信させ、この基地局１２３は、Ｅ−ＵＴＲＡ  ＲＲＣメッセージをＵＥ１１０に送信する。
【０１１２】
さらなる局面において、Ｅ−ＵＴＲＡ  ＲＲＣメッセージは、ＵＥ１１０によってデルタコンフィギュレーションが適用されることを表示するためのデルタコンフィギュレーションインジケータを含んでいてもよく、または、Ｅ−ＵＴＲＡ  ＲＲＣメッセージがデルタコンフィギュレーションインジケータを含んでいない場合、Ｅ−ＵＴＲＡ  ＲＲＣメッセージは、ＵＥ１１０によってフルコンフィギュレーションが適用されることを表示してもよい。
【０１１３】
いくつかの例を以下に記載する。
例１：
ソース基地局からターゲット基地局へのハンドオーバを実行する方法であって、
ユーザ機器が、メディアアクセス制御エンティティ、無線リンク制御エンティティおよび第１のパケットデータコンバージェンスプロトコルエンティティを使用して上記ソース基地局と通信するステップと、
上記ユーザ機器が、上記ソース基地局から第１の無線リソース制御メッセージを受信するステップとを備え、上記第１の無線リソース制御メッセージは、上記ターゲット基地局への上記ハンドオーバのための第２の無線リソース制御メッセージを含み、上記方法はさらに、
上記ユーザ機器が、上記第１の無線リソース制御メッセージまたは上記第２の無線リソース制御メッセージを受信したことに応答して、上記メディアアクセス制御エンティティおよび上記無線リンク制御エンティティを解放するステップと、
上記ユーザ機器が、上記第２の無線リソース制御メッセージに含まれるコンフィギュレーションタイプの表示からコンフィギュレーションタイプを判断するステップとを備える、方法。
【０１１４】
例２：
上記ターゲット基地局は、進化型パケットコアネットワークに接続され、上記方法はさらに、
上記ユーザ機器が、上記コンフィギュレーションタイプがフルコンフィギュレーションであると判断するステップと、
上記ユーザ機器が、上記コンフィギュレーションタイプが上記フルコンフィギュレーションであると判断したことに基づいて、上記第１のパケットデータコンバージェンスプロトコルエンティティを解放するステップとを備える、例１に記載の方法。
【０１１５】
例３：
上記ユーザ機器が、上記第２の無線リソース制御メッセージに基づいて、上記ターゲット基地局で第２のパケットデータコンバージェンスプロトコルエンティティを確立するステップと、
上記ユーザ機器が、RRCConnectionConfigurationCompleteメッセージを送信するステップと、
上記ユーザ機器が、上記第２のパケットデータコンバージェンスプロトコルエンティティを使用して上記ターゲット基地局と通信するステップとをさらに備える、例２に記載の方法。
【０１１６】
例４：
上記ユーザ機器が、上記ソース基地局との接続を切るステップをさらに備える、例３に記載の方法。
【０１１７】
例５：
上記ターゲット基地局は、第五世代コアネットワークに接続され、上記方法はさらに、
上記ユーザ機器が、上記メディアアクセス制御エンティティ、上記無線リンク制御エンティティ、上記第１のパケットデータコンバージェンスプロトコルエンティティおよび第１のサービスデータアダプテーションプロトコルエンティティを使用して上記ソース基地局と通信するステップと、
上記ユーザ機器が、上記コンフィギュレーションタイプがフルコンフィギュレーションであると判断するステップと、
上記ユーザ機器が、上記コンフィギュレーションタイプが上記フルコンフィギュレーションであると判断したことに基づいて、上記第１のパケットデータコンバージェンスプロトコルエンティティおよび上記第１のサービスデータアダプテーションプロトコルエンティティを解放するステップとを備える、例１に記載の方法。
【０１１８】
例６：
上記ユーザ機器が、上記第２の無線リソース制御メッセージに基づいて、上記ターゲット基地局で第２のパケットデータコンバージェンスプロトコルエンティティを確立するステップと、
上記ユーザ機器が、上記第２の無線リソース制御メッセージに基づいて、上記ターゲット基地局で第２のサービスデータアダプテーションプロトコルエンティティを確立するステップと、
上記ユーザ機器が、RRCConnectionConfigurationCompleteメッセージを送信するステップと、
上記ユーザ機器が、上記第２のパケットデータコンバージェンスプロトコルエンティティおよび上記第２のサービスデータアダプテーションプロトコルエンティティを使用して上記ターゲット基地局と通信するステップとをさらに備える、例５に記載の方法。
【０１１９】
例７：
上記ユーザ機器が、上記ソース基地局との接続を切るステップをさらに備える、例６に記載の方法。
【０１２０】
例８：
上記第１の無線リソース制御メッセージは、RRCConnectionReconfigurationメッセージである、先行する例のいずれか１つに記載の方法。
【０１２１】
例９：
コンフィギュレーションタイプの上記表示は、上記RRCConnectionReconfigurationメッセージにおけるfullConfigフィールドである、先行する例のいずれか１つに記載の方法。
【０１２２】
例１０：
上記ソース基地局は、第五世代新無線基地局であり、上記ターゲット基地局は、進化型ユニバーサル地上無線アクセス基地局である、先行する例のいずれか１つに記載の方法。
【０１２３】
例１１：
ユーザ機器であって、
ワイヤレストランシーバと、
例１から例１０のいずれか１つに記載の方法を実行するように上記ユーザ機器を構成するように配置されたハンドオーバマネージャとを備える、ユーザ機器。
【０１２４】
例１２：
ソース基地局からターゲット基地局へのユーザ機器のハンドオーバを実行する方法であって、
上記ソース基地局が、上記ターゲット基地局への上記ユーザ機器のハンドオーバを示す第１の無線リソース制御メッセージを受信するステップと、
上記ソース基地局が、上記ハンドオーバ中に上記ユーザ機器に適用されるコンフィギュレーションタイプを判断するステップと、
上記ソース基地局が、第２の無線リソース制御メッセージを生成するステップと、
上記ソース基地局が、上記コンフィギュレーションタイプの表示を上記第２の無線リソース制御メッセージに含めるステップと、
上記ソース基地局が、上記第１の無線リソース制御メッセージを上記第２の無線リソース制御メッセージに含めるステップと、
上記ソース基地局が、上記第２の無線リソース制御メッセージを上記ユーザ機器に送信して、上記ハンドオーバ中の上記コンフィギュレーションタイプに基づいて現在のユーザ機器コンフィギュレーションを変更するように上記ユーザ機器に指示するステップとを備える、方法。
【０１２５】
例１３：
上記コンフィギュレーションタイプは、フルコンフィギュレーションまたはデルタコンフィギュレーションであり、上記第２の無線リソース制御メッセージは、RRCConnectionReconfigurationメッセージであり、上記コンフィギュレーションタイプの上記表示は、上記RRCConnectionReconfigurationメッセージにおけるfullConfigフィールドである、例１２に記載の方法。
【０１２６】
例１４：
上記第１の無線リソース制御メッセージは、上記ターゲット基地局またはコアネットワーク内のアクセスおよびモビリティ管理機能から受信される、例１２または例１３に記載の方法。
【０１２７】
例１５：
基地局であって、
ワイヤレストランシーバと、
コアネットワークインターフェイスと、
基地局間インターフェイスと、
例１２から例１４のいずれか１つに記載の方法を実行するように上記基地局を構成するように配置された基地局マネージャとを備える、基地局。
【０１２８】
結論
無線アクセス技術間ハンドオーバの局面について、特徴および／または方法に特有の言い回しで説明してきたが、添付の特許請求の範囲の主題は、必ずしも記載されている特定の特徴または方法に限定されるものではない。むしろ、これらの特定の特徴および方法は、無線アクセス技術間ハンドオーバの例示的な実現例として開示されており、他の等価の特徴および方法も添付の特許請求の範囲の範囲内であるように意図されている。さらに、さまざまな異なる局面が記載されており、各々の記載されている局面は独立してまたは１つもしくは複数の他の記載されている局面に関連付けて実現可能であるということが理解される。
【図１】
2021533622.tif 000003
【図２】
2021533622.tif 000004
【図３】
2021533622.tif 000005
【図４】
2021533622.tif 000006
【図５】
2021533622.tif 000007
【図６】
2021533622.tif 000008
【図７】
2021533622.tif 000009
【図８】
2021533622.tif 000010
【図９】
2021533622.tif 000011
【図１０】
2021533622.tif 000012
【図１１】
2021533622.tif 000013
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
第１の無線アクセス技術のソース基地局から第２の無線アクセス技術のターゲット基地局へのハンドオーバを実行する方法であって、
ユーザ機器が、メディアアクセス制御エンティティ、無線リンク制御エンティティ、第１のパケットデータコンバージェンスプロトコルエンティティおよび第１のサービスデータアダプテーションプロトコルエンティティを使用して前記ソース基地局と通信するステップと、
前記ユーザ機器が、前記ソース基地局から第１の無線リソース制御メッセージを受信するステップとを備え、前記第１の無線リソース制御メッセージは、前記ターゲット基地局への前記ハンドオーバのための第２の無線リソース制御メッセージを含み、前記方法はさらに、
前記ユーザ機器が、前記第１の無線リソース制御メッセージまたは前記第２の無線リソース制御メッセージを受信したことに応答して、前記メディアアクセス制御エンティティおよび前記無線リンク制御エンティティを解放するステップと、
前記ユーザ機器が、前記第２の無線リソース制御メッセージに含まれるコンフィギュレーションタイプの表示からコンフィギュレーションタイプを判断するステップと、
前記ユーザ機器が、前記コンフィギュレーションタイプがフルコンフィギュレーションであると判断するステップと、
前記ユーザ機器が、前記コンフィギュレーションタイプが前記フルコンフィギュレーションであると判断したことに基づいて、前記第１のパケットデータコンバージェンスプロトコルエンティティおよび前記第１のサービスデータアダプテーションプロトコルエンティティを解放するステップとを備える、方法。
【請求項２】
前記ターゲット基地局は、進化型パケットコアネットワークに接続され、前記方法はさらに、
前記ユーザ機器が、前記コンフィギュレーションタイプがフルコンフィギュレーションであると判断するステップと、
前記ユーザ機器が、前記コンフィギュレーションタイプが前記フルコンフィギュレーションであると判断したことに基づいて、前記第１のパケットデータコンバージェンスプロトコルエンティティを解放するステップとを備える、請求項１に記載の方法。
【請求項３】
前記ユーザ機器が、前記第２の無線リソース制御メッセージに基づいて、前記ターゲット基地局で第２のパケットデータコンバージェンスプロトコルエンティティを確立するステップと、
前記ユーザ機器が、RRCConnectionConfigurationCompleteメッセージを送信するステップと、
前記ユーザ機器が、前記第２のパケットデータコンバージェンスプロトコルエンティティを使用して前記ターゲット基地局と通信するステップとをさらに備える、請求項２に記載の方法。
【請求項４】
前記ユーザ機器が、前記ソース基地局との接続を切るステップをさらに備える、請求項３に記載の方法。
【請求項５】
前記ユーザ機器が、前記第２の無線リソース制御メッセージに基づいて、前記ターゲット基地局で第２のパケットデータコンバージェンスプロトコルエンティティを確立するステップと、
前記ユーザ機器が、前記第２の無線リソース制御メッセージに基づいて、前記ターゲット基地局で第２のサービスデータアダプテーションプロトコルエンティティを確立するステップと、
前記ユーザ機器が、RRCConnectionConfigurationCompleteメッセージを送信するステップと、
前記ユーザ機器が、前記第２のパケットデータコンバージェンスプロトコルエンティティおよび前記第２のサービスデータアダプテーションプロトコルエンティティを使用して前記ターゲット基地局と通信するステップとをさらに備える、請求項１に記載の方法。
【請求項６】
前記ユーザ機器が、前記ソース基地局との接続を切るステップをさらに備える、請求項５に記載の方法。
【請求項７】
前記第１の無線リソース制御メッセージは、RRCConnectionReconfigurationメッセージである、請求項１〜６のいずれか１項に記載の方法。
【請求項８】
コンフィギュレーションタイプの前記表示は、RRCConnectionReconfigurationメッセージにおけるfullConfigフィールドである、請求項１〜７のいずれか１項に記載の方法。
【請求項９】
前記ソース基地局は、第五世代新無線基地局であり、前記ターゲット基地局は、進化型ユニバーサル地上無線アクセス基地局である、請求項１〜８のいずれか１項に記載の方法。
【請求項１０】
ユーザ機器であって、
ワイヤレストランシーバと、
請求項１から請求項９のいずれか１項に記載の方法を実行するように前記ユーザ機器を構成するように配置されたハンドオーバマネージャとを備える、ユーザ機器。
【請求項１１】
第１の無線アクセス技術のソース基地局から第２の無線アクセス技術のターゲット基地局へのユーザ機器のハンドオーバを実行する方法であって、
前記ソース基地局が、前記ターゲット基地局への前記ユーザ機器のハンドオーバを示す第１の無線リソース制御メッセージを受信するステップと、
前記ソース基地局が、前記ハンドオーバ中に前記ユーザ機器に適用されるコンフィギュレーションタイプを判断するステップとを備え、前記コンフィギュレーションタイプは、デルタコンフィギュレーションであり、前記方法はさらに、
前記ソース基地局が、第２の無線リソース制御メッセージを生成するステップと、
前記ソース基地局が、前記コンフィギュレーションタイプの表示を前記第２の無線リソース制御メッセージに含めるステップと、
前記ソース基地局が、前記第１の無線リソース制御メッセージを前記第２の無線リソース制御メッセージに含めるステップと、
前記ソース基地局が、前記第２の無線リソース制御メッセージを前記ユーザ機器に送信して、前記ハンドオーバ中の前記コンフィギュレーションタイプに基づいて現在のユーザ機器コンフィギュレーションを変更するように前記ユーザ機器に指示するステップとを備える、方法。
【請求項１２】
前記第２の無線リソース制御メッセージは、RRCConnectionReconfigurationメッセージである、請求項１１に記載の方法。
【請求項１３】
前記第１の無線リソース制御メッセージは、前記ターゲット基地局またはコアネットワーク内のアクセスおよびモビリティ管理機能から受信される、請求項１１または請求項１２に記載の方法。
【請求項１４】
基地局であって、
ワイヤレストランシーバと、
コアネットワークインターフェイスと、
基地局間インターフェイスと、
請求項１１から請求項１３のいずれか１項に記載の方法を実行するように前記基地局を構成するように配置された基地局マネージャとを備える、基地局。
【手続補正２】
【補正対象書類名】明細書
【補正対象項目名】００９６
【補正方法】変更
【補正の内容】
【００９６】
図１０は、ＵＥ１１０のハンドオーバの際の基地局１２１によるプロトコル処理に概して関連する無線アクセス技術間ハンドオーバの方法の一例１０００を示す図である。ブロック１００２において、ソース基地局（たとえば、５Ｇ  ＮＲ基地局）は、ターゲット基地局（たとえば、Ｅ−ＵＴＲＡ基地局）へのＵＥのハンドオーバのためのＥ−ＵＴＲＡ  ＲＲＣメッセージを受信する。たとえば、基地局１２１は、基地局１２２へのＵＥ１１０のハンドオーバのためのＥ−ＵＴＲＡ  ＲＲＣメッセージを受信する。Ｅ−ＵＴＲＡ  ＲＲＣメッセージは、基地局１２２または５ＧＣ１５０内のＡＭＦから受信されてもよい。
【国際調査報告】
2021533622.tif 000014
2021533622.tif 000015
2021533622.tif 000016
2021533622.tif 000017